(57)【要約】【課題】作業箇所・進捗状況等に応じて、適切な記録、観察を行うに適した撮影システム、撮影装置、および撮影方法を提供する。【解決手段】製作物を製作するための複数の工程を撮影し（Ｓ１３５）、撮影画像に基づいて製作物の部位に応じた部位別工程を検出し、撮影画像と部位別工程を関連付け、関連付けがなされた撮影画像を外部装置に送信し（Ｓ１２７）、外部装置で検索された撮影画像を受信し（Ｓ１２１）、この受信した撮影画像に基づいてガイド表示を行う（Ｓ１４１）。【選択図】  図１３
2019032593.tif 000002
【特許請求の範囲】
【請求項１】
複数の工程を撮影して記録する撮影システムにおいて、
撮影画像に基づいて工程を検出する工程検出部と、
上記撮影画像と上記工程を関連付けて撮影画像を記録する記録部と、
を有することを特徴とする撮影システム。
【請求項２】
上記工程で使用する第１の使用器具または材料に基づいて、作業起点に対応する上記撮影画像のコマを類推する起点画像類推部を有することを特徴とする請求項１に記載の撮影システム。
【請求項３】
上記撮影画像を表示する表示部を有し、
上記表示部は、上記撮影画像のから作業起点コマを類推して表示を開始することを特徴とする請求項２に記載の撮影システム。
【請求項４】
上記工程検出部は、製作物の製作時において、上記撮影画像中の第２の使用器具を画像判定することにより、上記製作物の上記部位を判定することを特徴とする請求項１に記載の撮影システム。
【請求項５】
製作物を製作するための複数の工程を撮影する撮影部と、
撮影画像に基づいて上記製作物の部位に応じた部位別工程を検出する部位別工程検出部と、
上記撮影画像と上記部位別工程を関連付ける関連付け部と、
上記関連付け部によって関連付けがなされた上記撮影画像を外部装置に送信し、上記外部装置で検索された撮影画像を受信するための通信部と、
を有することを特徴とする撮影装置。
【請求項６】
上記通信部は、上記外部装置に対して、上記部位別工程検出部によって検出した部位に関する情報を送信し、上記外部装置によって検索された上記部位に関連する撮影画像を受信することを特徴とする請求項５に記載の撮影装置。
【請求項７】
特定の部位についての撮影画像の検索を上記外部装置に要求した際に、上記外部装置によって上記検索された撮影画像を表示するための表示部を有することを特徴とする請求項５に記載の撮影装置。
【請求項８】
製作物を製作するための複数の工程を撮影して記録する撮影方法において、
撮影画像に基づいて上記製作物の部位に応じた部位別工程を検出し、
上記撮影画像と上記部位別工程を関連付けて撮影画像を記録する、
ことを特徴とする撮影方法。
【請求項９】
製作物を製作するための複数の工程を撮影し、
撮影画像に基づいて上記製作物の部位に応じた部位別工程を検出し、
上記撮影画像と上記部位別工程を関連付け、
関連付けがなされた上記撮影画像を外部装置に送信し、上記外部装置で検索された撮影画像を受信する、
ことを特徴とする撮影方法。
【発明の詳細な説明】
【技術分野】
【０００１】
本発明は、特定の専用道具を使い作業を行う技能士、技工士等による作業過程を撮影し記録するに適した撮影システム、撮影装置、および撮影方法に関する。
【背景技術】
【０００２】
近年、情報化技術の発展により、大量の情報を容易に得ることが可能になってきた。その一方で、大量の情報の中から有用な情報を得ることは容易ではなくってきている。そこで、複数の事業者間で種々の情報を提供するシステムが提案されている（例えば、特許文献１参照）。
【先行技術文献】
【特許文献】
【０００３】
【特許文献１】特開２０１４−０１６９２２号公報
【発明の概要】
【発明が解決しようとする課題】
【０００４】
特定の専用道具を使いこなして作業を行う作業過程は、極めて属人性の高い業務なので、作業過程の適切な記録、観察によって技術伝承やエビデンス化が可能となる。
【０００５】
本発明は、このような事情を鑑みてなされたものであり、作業箇所・進捗状況等に応じて、適切な記録、観察を行うに適した撮影システム、撮影装置、および撮影方法を提供することを目的とする。
【課題を解決するための手段】
【０００６】
上記目的を達成するため第１の発明に係る撮影システムは、複数の工程を撮影して記録する撮影システムにおいて、撮影画像に基づいて工程を検出する工程検出部と、上記撮影画像と上記工程を関連付けて撮影画像を記録する記録部と、を有する。
【０００７】
第２の発明に係る撮影システムは、上記第１の発明において、上記工程で使用する第１の使用器具または材料に基づいて、作業起点に対応する上記撮影画像のコマを類推する起点画像類推部を有する。
第３の発明に係る撮影システムは、上記第２の発明において、上記撮影画像を表示する表示部を有し、上記表示部は、上記撮影画像のから作業起点コマを類推して表示を開始する。
【０００８】
第４の発明に係る撮影システムは、上記第１の発明において、上記工程検出部は、製作物の製作時において、上記撮影画像中の第２の使用器具を画像判定することにより、上記製作物の部位を判定する。
【０００９】
第５の発明に係る撮影装置は、製作物を製作するための複数の工程を撮影する撮影部と、撮影画像に基づいて上記製作物の部位に応じた部位別工程を検出する部位別工程検出部と、上記撮影画像と上記部位別工程を関連付ける関連付け部と、上記関連付け部によって関連付けがなされた上記撮影画像を外部装置に送信し、上記外部装置で検索された撮影画像を受信するための通信部と、を有する。
【００１０】
第６の発明に係る撮影装置は、上記第５の発明において、上記通信部は、上記外部装置に対して、上記部位別工程検出部によって検出した部位に関する情報を送信し、上記外部装置によって検索された上記部位に関連する撮影画像を受信する。
第７の発明に係る撮影装置は、上記第５の発明において、特定の部位についての撮影画像の検索を上記外部装置に要求した際に、上記外部装置によって上記検索された撮影画像を表示するための表示部を有する。
【００１１】
第８の発明に係る撮影方法は、製作物を製作するための複数の工程を撮影して記録する撮影方法において、撮影画像に基づいて上記製作物の部位に応じた部位別工程を検出し、上記撮影画像と上記部位別工程を関連付けて撮影画像を記録する。
第９の発明に係る撮影方法は、製作物を製作するための複数の工程を撮影し、撮影画像に基づいて上記製作物の部位に応じた部位別工程を検出し、上記撮影画像と上記部位別工程を関連付け、関連付けがなされた上記撮影画像を外部装置に送信し、上記外部装置で検索された撮影画像を受信する。
【発明の効果】
【００１２】
本発明によれば、作業箇所・進捗状況等に応じて、適切な記録、観察を行うに適した撮影システム、撮影装置、および撮影方法を提供することができる。
【図面の簡単な説明】
【００１３】
【図１】本発明の第１実施形態に係る記録システムの概要を示すブロック図である。
【図２】本発明の第１実施形態に係る記録システムにおける、歯科医側の動作を示すフローチャートである。
【図３】本発明の第１実施形態に係る記録システムにおける、歯科技工士側の動作を示すフローチャートである。
【図４】本発明の第１実施形態に係る記録システムにおけるデータベースの記録項目を示す図表である。
【図５】本発明の第２実施形態に係る記録システムの主として電気的構成を示すブロック図である。
【図６】本発明の第２実施形態に係る記録システムにおけるデータベースの記録項目を示す図である。
【図７】本発明の第２実施形態に係る記録システムの利用方法を示す図である。
【図８】本発明の第２実施形態に係る記録システムにおけるウエラブル部を示す図である。
【図９】本発明の第２実施形態に係る記録システムにおけるウエラブル部の使用方法を示す図である。
【図１０】本発明の第２実施形態に係る記録システムにおける作業工程を示す図である。
【図１１】本発明の第２実施形態に係る記録システムにおいて、歯科医側の情報端末における動作を示すフローチャートである。
【図１２】本発明の第２実施形態に係る記録システムにおいて、サーバにおける動作を示すフローチャートである。
【図１３】本発明の第２実施形態に係る記録システムにおいて、歯科技工士側のウエラブル端末における動作を示すフローチャートである。
【図１４】本発明の第２実施形態に係る記録システムにおいて、サーバにおける動作を示すフローチャートである。
【図１５】本発明の第２実施形態に係る記録システムにおける動画記録の動作を示すフローチャートである。
【図１６】本発明の第２実施形態に係る記録システムにおける条件に従って表示の動作を示すフローチャートである。
【図１７】本発明の第２実施形態に係る記録システムにおいて、歯科医における使用状態を示す図である。
【発明を実施するための形態】
【００１４】
本発明は、特定の専用道具を使いこなして作業を行う技能士、技工士などによる作業過程を観察、記録するための機器、装置、方法に関する。こうした専門性の高い作業を経て得られる成果物は、カスタマイズに対応した一品生産である事も多く、審美的な面までをカバーした高度な技能が要求される。そのため、加工箇所、加工の進捗等に応じて、適切な作業、テクニックが必要で、その極めて高い属人性の業務であるがゆえに、技能伝承という意味でも、作業品質の確認用としても、作業の過程が把握可能な適切な観察、記録の技術が求められていた。技能士、技工士など高度な専門職、職人技による作業などは、こうした記録が重要となる。特に、ここで特記した筆などの道具を使う時の人の動きなどは、アナログ的な動きで、文字や音声、静止画などで表現するよりも、動画で再現すれば百聞は一見にしかずで、すぐに理解が可能なので、以下に説明するように、その肝心な部分のみを動画で切り分けて再現できるような工夫が望まれている。また、素早い動きなどはスローモーションで見たくもなるが、これも動画ならではのメリットである。動画を探しやすくするには、工程を細分化すること望ましい。このように、作業を明確に可視化し、検索しやすくする技術が求められており、以下、本発明の特徴について各実施形態を例として挙げて説明する。
【００１５】
このように、一連の作業を時間的に分割して複数の工程として撮影して記録する撮影システムが望まれている。この撮影システムが、撮影画像に基づいて工程を検出する工程検出部を有していれば、撮影と同時に工程検出結果に基づいて、上記分割が可能となり、上記撮影画像と上記工程を関連付けて動画撮影画像を記録することができる。このため、この撮影システムでは、後に見たい部分の動画だけを検索したり再確認したりが簡単に可能となり、技能伝承に役立つ。もちろん、撮影システム中の記録制御部が、連続して撮影した動画の一部を作業ごとに検索しやすいように各動画に作業別のタイトルを付けたり、作業別のメタデータを付けたファイル形式で記録できるようにしてもよい。
【００１６】
以下、本発明の実施形態として、歯冠補綴物であるセラミック製のクラウンの製作を依頼する歯科医が使用する情報端末、製作する歯科技工士が使用する端末、及びこれらの端末に接続されたサーバからなる記録システムについて説明する。
【００１７】
また、本実施形態に係る撮影システムは、歯科技工士がクラウンを製作する際に、クラウンの部位別の工程を検出すると共にクラウンの撮影画像を取得し、部位別の工程に関連付けて撮影画像を記録部に記録する。この記録された撮影画像は、別の歯科技工士がクラウンを製作する際に、作業中の部位（工程）に応じて、ガイド用に撮影画像を表示する表示システムとしても利用することもできる。また、本実施形態に係る撮影システムは、作業中以外にも、完成したクラウンの撮影画像も記録することができる。
【００１８】
また、本実施形態に係る撮影システムは、歯科医が患者の治療用にクラウンを歯科技工士に製作を依頼する際に、最適なクラウンを製作可能な歯科技工士を検索する際にも利用することができる。前述したように、クラウンの製作には豊富な経験と高度の技能を必要とする。本実施形態においては、完成したクラウンを表示可能であるため、歯科医は所望するクラウンに最も近いものを製作可能な歯科技工士を検索することができ、またその歯科技工士に製作を依頼することも可能である。
【００１９】
図１は、第１実施形態に係るシステムの全体構成の概略を示すブロック図である。この第１実施形態は、遠く離された場所までビジネスベースで展開する際に実現し易くしたシステムの例である。もちろん、要求、展開される規模によっては、この一部の構成だけに機能を集約して実施することも可能である。図１において、技工所情報端末１１、１３は、歯科技工士が所属する技工所が所有する情報端末であり、例えば、ネットワーク１７に接続可能なＰＣ（パーソナルコンピュータ）である。なお、図１には、技工所情報端末として、２か所が示されているに過ぎないが、これは例示であり、１か所でもよく、また３か所以上でも構わない。
【００２０】
ウエラブル端末１０ａ、１０ｂは、技工所情報端末１１の技工所に所属する個々の歯科技工士が身に着けている端末である。同様に、ウエラブル端末１２ａ、１２ｂは、技工所情報端末１３の技工所に所属する個々の歯科技工士が身に着けている端末である。ウエアラブル端末１０ａ、１０ｂ、１２ａ、１２ｂには、例えば、技工士の目線の方向の画像を入力するための画像入力部、及び／または音声を入力するための音声入力部等が設けられ、またウエアラブル端末内の制御を行うための制御部等も有している。なお、図１には、ウエラブル端末として、２つの端末が示されているに過ぎないが、これは例示であり、１つの端末でもよく、また３つ以上の端末でも構わない。また、ウエラブル端末は技工所情報端末を介してネットワークに接続しているが、技工所情報端末を介さず、直接、ネットワークに接続するようにしても構わない。
【００２１】
歯科医情報端末１５、１６は、歯科医が使用する情報端末であり、例えば、ネットワーク１７に接続可能なＰＣ（パーソナルコンピュータ）である。歯科医は、歯科医情報端末を用いて、所望するクラウンの例に近い、技工士が製作したクラウンの例を検索することができ、また歯科医情報端末１５、１６を介して、発注することもできる。なお、図１には、歯科医情報端末として、２か所が示されているに過ぎないが、これは例示であり、１か所でもよく、また３か所以上でも構わない。
【００２２】
サーバ１４は、ネットワーク１７を介して、各装置と通信可能に構成されている。サーバ１４は、ネットワーク１７を介してウエラブル端末１０ａ、１０ｂ、１２ａ、１２ｂから受信したクラウンの撮影画像およびこれに関連する情報をデータベース１４ａに記録する。また、歯科医情報端末１５、１６から、クラウンに関する検索依頼を受信すると、データベース１４ａを検索し、検索結果を歯科医情報端末１５、１６に送信する。データベース１４ａに記録する情報については、図４を用いて後述する。
【００２３】
ネットワーク１７は、インターネット、イントラネット、電話回線等の通信網であり、技工所情報端末１１、１３、歯科医情報端末１５、１６、サーバ１４等を通信可能に接続する。ネットワーク１７は、無線通信でもよく、また有線通信でもよい。
【００２４】
次に、図２に示すフローチャートを用いて、歯科医側の動作について説明する。このフローの一部は、歯科医情報端末１５、１６内のＣＰＵ（Central Processing Unit）がメモリに記憶されたプログラムに従って実行することにより実現し、他の一部は歯科医が直接実行する。また、将来、歯科医の作業がロボット化される場合は、このようなステップからなるプログラムで実行される。しかし、ここでは、一般的な工程を分かりやすく説明するための図面として提示している。
【００２５】
歯科医のフローに入ると、まず、クラウンか否かについて判定する（Ｓ１）。歯科医情報端末１５、１６は、前述のクラウンの検索・発注以外にも種々の処理を行うことができる。このステップでは、クラウンに関する事項について、キーボード等による入力情報に基づいて判定する。この判定の結果、クラウンに関する事項でない場合には、その他の診察、治療等に処理に進む。
【００２６】
一方、ステップＳ１における判定の結果、クラウンに関する事項であった場合には、次に、審美性確保を目的とするものか否かを判定する（Ｓ３）。クラウンは、金属製や樹脂製等があるが、本実施形態において対象にするクラウンはセラミック製等の審美性の高い商品である。このステップでは、審美性が要求されるか否かを判定する。具体的には、歯科医の入力情報に基づいて判定する。この判定の結果、審美性の確保に関する事項でない場合には、その他の診察、治療等に処理に進む。
【００２７】
ステップＳ３における判定の結果、審美性の確保を目的する場合には、次に、形状、質感、色情報等から出来映え予想の確認を行う（Ｓ５）。歯科医は、患者の治療用にクラウンを発注する場合に、クラウンの形状の他、クラウンの土台と土台色、患者の歯の色、クラウンに隣接する歯の形状、クラウンの質感に関する情報を入力する。入力にあたっては、患者の歯の色やクラウンの形状を示す撮影画像、色見本や材質をデータ等、種々の方法を用いてもよい。
【００２８】
ステップＳ５において、クラウンの大きさ、形状、色分布などを決める際に、その出来映え予想をシミュレーションして可視化して、医師や患者本人がそれで良いかを目視で確認する。特に、色については、照明光の影響や、様々な色成分があり、さらに分布も目視が困難なので、専用の装置を使って数値化したもので判定し、この結果をもとに材料、工法などを決定して出来映えをシミュレーションして可視化してもよい。また、隣接する歯、あるいは上下で対応する歯、または、治療、処置がされる前の歯との形状、大きさ、質感、色比較などによって、総合的な目視判断も可能である。単純化すれば、特定の撮影方法で撮影された画像に合成された出来映えのシミュレーション結果の画像などが有効な情報となる。そこで確認して、歯の並びの中で不自然さがなければよい。こうした判断方法、判定方法そのものも工程であり、本願による発明でカバーされる対象となる。
【００２９】
次に、情報をサーバまたは技工士に送信する（Ｓ７）。ここでは、ステップＳ５において確認した形状、質感、色情報などによってデータ化された出来映え予想結果を、サーバまたは歯科技工士に送信する（図３のＳ２１参照）。これは、先に記した合成画像なども良い。この出来映え予想画像は歯科医師のパソコンなどの端末で特定のプログラムを利用して作成してもよいが、サーバ１４に依頼して、そこから送信されてきた完成クラウンの出来映えシミュレーション結果の中から歯科医が所望とするクラウンを探しだし、このクラウンを製作可能な歯科技工士にクラウンの製作を依頼するようにしてもよい。なお、サーバ１４を介さず、直接、技工士に送信するようにしてもよい。
【００３０】
情報を技工士等に送信すると、次に、歯科医師としてはクラウンの到着を待つ（Ｓ９）。歯科技工士は、クラウンの発注を受けると、クラウンの製作にとりかかり、クラウンが完成すると依頼元の歯科医に送付する（図３のＳ４５参照）。歯科医が完成クラウンを受け取ると、その旨が歯科医情報端末１５、１６に入力されるので、この入力情報に基づいて判定する。
【００３１】
クラウンが到着すると、次に、ＯＫか否かを判定する（Ｓ１１）。歯科医はクラウンが到着すると、そのクラウンを検査し、問題がなければＯＫと判断する。不具合がある場合には、技工士に返送し、修正してもらう。
【００３２】
ステップＳ１１における判定の結果、ＯＫの場合には、装着、加工等を行う（Ｓ１３）。ここでは、歯科医が患者にクラウンを装着する。装着の結果、追加加工を行う場合もあるが、作り直すほどの問題がなければ、歯科医側での処理は終了する。
【００３３】
次に、図３に示すフローチャートを用いて、歯科技工士側の動作について説明する。このフローの一部は、技工所情報端末１１、１３、ウエラブル端末１０ａ、１０ｂ、１２ａ、１２ｂが協働し、これらの内部に設けられたＣＰＵ（Central Processing Unit）がメモリに記憶されたプログラムに従って実行することにより実現し、他の一部は歯科技工士が直接実行する。
【００３４】
また、作業場内に配置された監視カメラのようなものと連携し、作業の机などの場所や、その作業特有の姿勢（作業時の顔と指先の位置など）を判定して、各ステップを判定し、その作業の一部、または全部を実行してもよい。将来、技工士の作業がロボット化される場合は、内蔵のセンサと外部のセンサが連携して、このようなステップからなるプログラムで作業の一部、または全部が実行されてもよい。こうした連携での判定は、機器単独よりもサーバ連携での制御の方が好ましい。これら一連の作業は、何時間もかかるので、この作業の全体を通してエビデンス用の画像記録などを行うと、後で見直したり参考にしたりする時に、膨大な検索時間を要するので、それぞれのステップを出来るだけ細かい単位に分解しておくことが必要である。そこで、ここでは、各ステップを、後で他の人が参照、あるいは本人が再確認しやすくなるように、時間的な流れを分析しやすいように分けて表記した。このように、検索しやすく、確認もしやすい形式（例えば、メタデータ付きの画像ファイルなど）にしておけば、様々な状況で、その肝心の部分だけを検索したり、確認したりすることが出来る。
【００３５】
歯科技工士のフローに入ると、まず、情報を取得したか否かを判定する（Ｓ２１）。歯科医側からクラウンの製作の依頼を受けると（図２のＳ７）、その際にクラウンの形状、質感、色情報等も併せて取得する。このステップでは、これらの情報を取得したか否かについて判定する（Ｓ２１）。
【００３６】
ステップＳ２１における判定の結果、情報を取得した場合には、次に、材料、塗料等を確保する（Ｓ２３）。ここでは、ステップＳ２１において取得したクラウンの形状、質感、色情報に基づいて、歯科技工士は、依頼を受けたクラウンを製作するに使用するセラミック等の材料を確保する。また、歯科医からクラウン製作の際に使用する型も入手する。これは、クラウン装着部の設計、加工や、かみ合わせ部の設計、加工上、必要に応じて発生する工程となる。
【００３７】
続いて、形状、質感、色情報に従い作業を開始する（Ｓ２５）。歯科技工士は、材料等を確保すると、この材料等を用い、指定された形状、質感、色となるクラウンの製作を開始する。
【００３８】
次に、色合わせ工程か否かを判定する（Ｓ２７）。ここでは、技工士が行っている工程について判定する。この判定にあたっては、歯科技工士がウエラブル端末または技工所情報端末に手動入力してもよいが、ウエラブル端末に設けられた画像入力部によって取得された画像に基づいて判定してもよく、技工所に設置され、技工士の作業を撮影画像で検出しうる据え置きカメラで得た画像でもよく、また音声判定で、声に指示しても良いようにする。後述するように、各工程で使用する材料、道具などが用意されていることを、画像データ等に基づいて検出してもよい。色合わせ工程は、ステインと呼ばれる顔料を含んだ粘着性の溶剤（後で焼き固める）を塗り重ねて、セラミックのクラウンを造形していく工程で、特に高度な技能が要求される。ここでは、積層したステインや追加で塗った絵具で、目標物に似せた色合いを出し、最後に焼き固めて終了する。具体的には、最初にクラウンの土台となる型を作成し、この型に顔料入りのセラミックを塗布し、これを焼成する。セラミックの塗布箇所は、部分的に行い、その度に焼成し、これらの作業を繰り返すことにより、実際の歯と同様に内側から組織の色が層状に積層されるので、極めて歯に似せることのできるクラウンが完成する。このステップでは、歯科医から依頼を受けたクラウンの色を再現するための工程（色合わせ工程）であるか否を判定する。
【００３９】
ステップＳ２７における判定の結果、色合わせ工程の場合には、事前にステインなどの材料や道具が準備されているはずなので、次に、ステインが準備されていることをステップとして記載する（Ｓ２９）。ここでは、ステップＳ３１、Ｓ３３における処理の準備を行う。あるいは行われていたことを示す。なお、色合わせ工程において（Ｓ３１、Ｓ３３）、ウエラブル端末の画像入力部によって画像を取得し、この画像を処理部位に関する情報と共に、サーバ１４のデータベース１４ａに送信し、記録しておく。また、色合わせの工程や、後述する焼成の工程（Ｓ３７、Ｓ３９）において、同様のクラウンを製作する際の情報を参照できるようにしておけば、製作時のガイド表示として活用できる。色合わせ等の各工程が判定されると、この判定結果を確認しやすい形式（インデックス、メタデータ）で、撮影画像の画像データに関連付けて記録しておけば、作業終了後に、画像の検索や再生の際に便利であり、またガイド表示の際にも活用することができる。
【００４０】
続いて、絵具の混合を行う（Ｓ３１）。ここでは、セラミックに所望の色を発色させるために、レシピに従って１または２以上のステインを混合する。この混合比率は、画像に関連付けて、データベース１４ａに送信し、記録しておいてもよい。また、ステイン以外の絵具を塗って、他の歯に似せて、あえて汚れや陰影のあるクラウンにしてもよい。
【００４１】
絵具を混合すると、次に、クラウンに塗布する（Ｓ３５）。ここでは、ステップＳ３１で混合したセラミックと顔料を、クラウンの型に塗布する。前述したように、ステップＳ３１およびＳ３３における動作は、ウエラブル端末の画像入力部によって画像が取得され、記録される。
【００４２】
次に、終了か否かを判定する（Ｓ３５）。色合わせ工程は、部分ごとに順次行っていき、このステップでは、所定の部分についてセラミックと顔料の混合物が塗布されてか否かを判定する。この判定は、歯科技工士がウエラブル端末または技工所情報端末に手動入力してもよいが、ウエラブル端末の設けられた画像入力部によって取得された画像に基づいて判定する。この判定の結果、終了していない場合には、ステップＳ３１に戻る。
【００４３】
一方、ステップＳ３５における判定の結果、終了の場合には、焼成装置の設定を行う（Ｓ３７）。所定の部分についてセラミックと顔料の混合物の塗布が終了した場合には、これを所定温度で焼成する。このステップでは時間毎の温度を設定する。この設定は、歯科技工士がウエラブル端末または技工所情報端末に手動入力してもよいが、ウエラブル端末の設けられた画像入力部によって取得された画像に基づいて、設定情報を解析するようにしてもよい。また、ここで設定された焼成情報は、画像に関連付けて、データベース１４ａに送信し、記録しておいてもよい。
【００４４】
焼成装置の設定を行うと、焼成する（Ｓ３９）。ここでは、炉の中にセラミックと顔料の混合物を塗布した型を配置し、設定温度で焼成する。焼成のための時間が経過すると、ステップＳ２７に戻り、次の処理が色合わせ工程か否かを判定し、前述の処理を繰り返す。
【００４５】
ステップＳ２７における判定の結果、色合わせ工程でない場合には、その他の工程作業を行う（Ｓ４１）。ここでは、クラウンを積層して行く以外の品質のチェックや追加工などを行い、歯としての機能を満足するための形状の合わせ込み、出来た成果物の発送や、作業のレポートなど記録、管理業務などを行う。もちろん、こうした工程にも、その工程ならではの道具や材料等があるので、本実施形態をこうした工程ごとに適用しても良い。
【００４６】
その他の工程作業を行うと、次に、終了か否かを判定する（Ｓ４１）。歯科技工士が、クラウンの製作のための作業が終了したか否かを判定する。終了していない場合には、ステップＳ２７に戻る。また、技工士が判定して、手動入力、音声入力せずとも、ウエアラブル端末が持つセンサ等で、作業した場所などから作業の終了を検出しても良いし、ウエアラブル端末のカメラや、作業時の近傍におかれたカメラで、道具がおかれたとか、片付けられたとかを撮像結果の画像で判定して、終了判定を代用することも可能である。
【００４７】
なお、工程の判定としては、作業者の位置や顔から、作業者がどこを見ているかを判定して、どの作業を行っているかを推定してもよい。このように、ウエラブル端末のカメラや、作業時の近傍におかれたカメラによる撮影画像は、作業近傍から撮影された作業中視界で得られるもので、当該作業者の両手での作業の様子や、上記作業中視界に入っている器具、道具、材料を、この作業特徴のデータベースを使って判定する判定部を有し、上記工程で使用する使用器具、道具または材料に基づいて、作業起点や作業途中に対応する上記撮影画像のコマを類推するインデックス情報付与部を有することで、一連の作業から細分化された工程を見つけやすくする。つまり、このような工夫が本実施形態による効果が明らかになる部分で、一連の作業を、検索しやすい短いステップにするために、並べられ、準備された特定の道具や手にした道具や、手の動きやチェックなどの行為を手がかりに細分化している。これは、ウエアラブル端末のカメラや監視カメラによって画像を判定することによって可能になる。作業独特の音声を参考にしてもよい。このような判定を行うために作業の始まりと終わりを判定するきっかけとなるような特徴的な道具を図４のデータベースなどに記載しておき、参照してもよい。こうした工夫がないと、塗布の様子が見たいのに、混合の工程を見なければならない、といった非効率を生じる。また、こうしたデータベースは、作業の順番などに応じて並べられた表形式にしたり、作業にかかる時間を想定時間情報などを有していれば、それらを各工程の検出の情報として利用することが出来る。
【００４８】
一方、ステップＳ４３における判定の結果、終了した場合には、歯科医のもとに完成クラウンを送付する（Ｓ４５）。完成クラウンを送付すると、歯科技工士のフローは終了する。なお、前述したように、歯科医は完成したクラウンを受領すると、検品し、問題なければ患者にクラウンを装着する。
【００４９】
次に、図４を用いて、サーバ１４のデータベース１４ａに記録される情報について説明する。本実施形態においては、各工程において、どのような道具を用いて、どのような作業を行うかについて、データベース１４ａに記憶している。歯科技工士が作業を行う際に、データベース１４ａに記憶されている項目について、撮影画像に関連して具体的な内容を記録するようにしてもよい。
【００５０】
工程Ｎｏ．Ａは、まず並べられた材料であるステインの準備が正しいかを判定するパレット情報に関する。パレット情報は、パレットを準備する工程での情報である（図３のＳ３１参照）。ステインの準備が間違っていると、そもそも正しい作業ができないので、作業前の準備ができかたを確認する工程としてあえて分けて行っている。パレットの形状は、繰り返しの多い画像特徴があり、検出しやすく、検出しやすいがゆえに特記した。このパレット工程においては、道具情報として、パレットで何色の絵具を用意し、また作業情報として、パレットで絵具を混合する際の絵具の量であるかを記録する。正しいものが正しい配置、正しい量で用意されたかを確認する。もちろん、準備するものは、道具類もあるので、これらも画像認識で判定できるように、画像と道具名を関連付ける画像辞書としてもよい。
【００５１】
工程Ｎｏ．Ｂは、絵具混合情報であり、この情報はパレットにおいて絵具（セラミック、顔料）を混合させる工程での情報である（図３のＳ３１参照）。この絵具混合工程においては、道具情報は、筆と絵具であり、具体的には混合する際の筆の種類、また絵具の種類を記録する。また作業情報は混合数であり、具体的には、どの色をどの位混合したかを記録する。こうしたアナログ的な作業では、筆遣いなど、見てみないと分からないものが多く、画像としての記録が好ましい。
【００５２】
工程Ｎｏ．Ｃは、塗布工程情報であり、この情報はパレットにおいて混合した絵具をクラウンの型に塗布するための情報である（図３のＳ３３参照）。この塗布工程においては、道具情報は筆であり、具体的には塗布する際に使用する筆の種類であり、作業情報として塗布回数であり、具体的には、何回に分けて塗布するかを記録する。
【００５３】
工程Ｎｏ．Ｄは、焼成工程情報であり、この情報は塗布が完了した後に、焼成装置において、焼成するための情報である（図３のＳ３９参照）。この焼成工程においては、道具情報は焼成装置であり、具体的には、メーカ名、型式名等であり、作業情報としては設定、具体的には時間経過とその時の焼成温度等を記録する。
【００５４】
これらのデータベースは、その作業に特有の道具や、チェック項目が記載されているので、ここに掲載された内容を検出する。画像で判定できる内容としており、これをもとに画像を判定したり、検索したり、参照できたりする。工程Ａでは、並んだパレットが規定のものか、用意された色数がどうか、などは画像で判定可能である。これは、特定の基準画像との比較で判定可能である。また、量なども画像から判定できる。工程Ｂは、絵具混合などは、筆裁きなどが重要で、この時の作業が後で参照しやすいように、あえて塗布とは分けている。特徴的な道具や、混合作業特有の動き（筆先がパレット部にあるなど）が画像判定しやすい。こうした検出方法などもデータベースにしておけば、検索がしやすい。同様に塗布は筆先が基材またはもう一方の手の近くにあるなどの画像判定で検索ができる。こうしたデータベースは、単純に辞書画像との比較のみならず、教師画像を多数学習させる深層学習で高性能化や、多様化に対応が可能である。このような考え方は他の実施例にも共通していることは言うまでもない。
【００５５】
以上、説明したように、本発明の第１実施形態においては、データベース１４ａに、クラウン製作の際に使用する種々の情報を記録できる。そして、技工士がクラウンを製作する際の種々の情報をデータベース１４ａに記録しておく。記録しておいた製作時の情報は、他の技工士が同様のクラウンを製作する際に活用することが可能である。一般に、各工程に分解した形でエビデンスを残すことが望ましい。エビデンスとしては、作業の工程表やチェックリストや受け入れ検査結果、出荷検査結果、作業者、日にちなど、手書きやキーボード入力された資料等があり、それを補足する情報も利用することができ、例えば、本実施形態におけるエビデンスとしては、ウエラブル端末及び／又は技工所内に配置された画像入力部によって取得された画像、音声入力部によって取得された技工士等の音声等がある。そして、これらのエビデンスによって、作業者に負担をかけず、工程ごとの切り分けを行うことができ、また切り分けの判定は、それぞれの工程の特徴に応じて行うようにすればよい。工程ごとに切り分けられた画像データ等の情報は、確認もしやすい形式（例えば、メタデータ付きの画像ファイルなど）で記録しておけば、様々な状況で、その肝心の部分だけを検索したり、確認したりすることが出来る。
【００５６】
次に、図５ないし図１７を用いて、本発明の第２実施形態について説明する。第１実施例で説明した部分は、重複を避けているが、対応する部分は同様の作業が行われており、判定の方法も同様の技術を適応してもよい。図５は本実施形態の主として電気的構成を示すブロック図である。本実施形態におけるシステムは、製作物を製作するための複数の工程を撮影し、記録することができる。このシステムは、ウエアラブル端末１００、サーバ２００、情報端末３００を有する。図５には、ウエアラブル端末１００、サーバ２００、情報端末３００は、それぞれ１つのみであるが、ネット等を介して複数接続できるようにしてもよいことは勿論である。
【００５７】
ウエアラブル端末１００は、制御部１１０、通信部１２０、記録部１３０、情報取得部１４０、表示部１５０を有する。ウエアラブル端末１００は、眼鏡形状をしており、技工士が装着し、クラウン等の画像を取得すると共に、クラウン製作時のガイド情報を表示可能である。ウエアラブル端末１００の形状については、図８を用いて後述する。眼鏡型である利点の一つは、多くの作業が作業者の目視チェックを前提としており、それと同じ方向から眼鏡型端末内蔵のカメラ（情報取得部）で対象物を画像確認できるという点にある。もちろん、打音検査などの場合も、眼鏡型であれば、作業者が聞いたのと同様の音声を内蔵マイク（情報取得部）で音声確認可能である。このように、工程ごとの切り分けを、作業者に負担をかけず、それぞれの工程の特徴に応じて判定することができる。
【００５８】
制御部１１０は、ＣＰＵ（Central Processing Unit）とプログラムを記憶したメモリ、および周辺回路を有するＡＳＩＣ（Application Specific Integrated Circuit）から構成されている。この制御部１１０は、ウエアラブル端末１００内の各部を制御することにより、全体制御を行う。また、制御部１１０内には、対象物判定部１１１、作業判定部１１２、表示制御部１１３を有し、これらの各部は、本実施形態においては、ＣＰＵとプログラムによって実現する。なお、これらの各部の全部または一部を周辺回路によって実現してもよい。
【００５９】
対象物判定部１１１は、後述する情報取得部１４０内の画像入力部１４０ａによって取得された画像データに基づいて、技工士の作業対象物が何であるかを判定する。また対象物がクラウンである場合には、作業部位がどこであるかも判定する（例えば、図１５のＳ１８１参照）。
【００６０】
対象物判定部１１１は、撮影画像に基づいて製作物の部位に応じた部位別工程を検出する部位別工程検出部として機能する。また、撮影画像に基づいて工程を検出する工程検出部としても機能する。部位の判定にあたって、後述する図９に示すように、撮影画像に基づいて、把持用の把持具５０４と筆５０１の位置関係から作業を行っている部位を判定することができる。すなわち、部位別工程検出部は、製作物の製作時において、撮影画像中の第２の使用器具を画像判定することにより、製作物の部位を判定する。複数の器具、道具の位置関係で判定が可能である。
【００６１】
作業判定部１１２は、情報取得部１４０内の画像入力部によって取得された画像データに基づいて、作業中であるか否かを判定し（例えば、図１５のＳ１７７参照）、また技工士の行っている作業内容が何であるかを判定する。例えば、セラミック材、ステイン材等の塗布作業、焼成作業等を判別する。
【００６２】
表示制御部１１３は、表示制御回路を有していてもよく、後述する表示部１５０に表示する画像の制御を行う。画像表示としては、技工士が行っている部位に対応したガイド表示等がある。
【００６３】
制御部１１０は、情報取得部１４０の画像入力部１４０ａによって取得した撮影画像に、対象物判定部１１１（部位別工程検出部）によって検出された部位に関する情報を関連付ける（例えば、図１５のＳ１７９、Ｓ１８１、Ｓ１８３等参照）。この関連付けの行われた撮影画像は、通信部１２０を介してサーバ２００内のデータベース２３０に記録される。制御部１１０は、撮影画像と部位別工程を関連付ける関連付け部として機能する。
【００６４】
通信部１２０は、通信回路を有し、サーバ２００とデータや制御コマンド等の通信を行う。通信部１２０は、関連付け部によって関連付けがなされた撮影画像を外部装置に送信し、外部装置で検索された撮影画像を受信するための通信部として機能する（図１３のＳ１２７、Ｓ１４１等参照）。この通信部は、外部装置に対して、部位別工程検出部によって検出した部位に関する情報を送信し、外部装置によって検索された部位に関連する撮影画像を受信する。
【００６５】
記録部１３０は、電気的に書き換え可能な不揮発性メモリを有し、ウエアラブル端末１００の各種データを記録する。記録部１３０内には、道具データベース（ＤＢ）１３１、作業データベース（ＤＢ）１３２の領域を有する。記録部１３０は、撮影画像と部位別工程を関連付けて撮影画像を記録する記録部として機能する。また、撮影画像と工程を関連付けて撮影画像を記録する記録部としても機能する。なお、この記録部は、ウエアラブル端末に限らず、サーバ２００内に設けてもよい。
【００６６】
道具ＤＢ１３１は、技工士が作業する際に使用する道具に関するデータが記録される領域である。道具としては、例えば、筆、パレット等がある。作業ＤＢ１３２は、技工士が行う作業に関するデータが記録される領域である。作業としては、例えば、絵具の混合作業、絵具の塗布作業、焼成作業等がある。なお、道具ＤＢ１３１および作業ＤＢ１３２の少なくともいずれか一方をサーバ２００内のデータベース２３０に記録するようにしてもよい。
【００６７】
情報取得部１４０は、画像入力部１４０ａや音声取得部１４３等を有し、ウエラブル部１００を装着した技工士に関する情報を取得する。画像入力部１４０ａ（図８参照）は、像形成用の光学レンズ、撮像素子、撮像回路等を有し、技工士が作業を行っている箇所の画像データを取得する。また音声取得部１４３（図８参照）は、マイク、音声信号処理回路等を有し、技工士が作業を行っている際の周囲の音声データを取得する。画像入力部１４０ａは、製作物を製作するための複数の工程を撮影する撮影部として機能する。
【００６８】
表示部１５０は、技工士に作業ガイド等を表示するためのディスプレイ等を有する。図８を用いて後述するように、ウエラブル端末１００は眼鏡タイプであり、技工士が装着した際に、片目側に作業ガイド等の表示が目の前の情景に重畳して表示される。表示部１５０は、撮影画像を表示する表示部として機能する。この表示部は撮影画像のから作業起点コマを類推して表示を開始する（図１０参照）。また、表示部は、特定の部位についての撮影画像の検索を外部装置に要求した際に（例えば、図１３のＳ１１９参照）、外部装置によって検索された撮影画像を表示する（例えば、図１３のＳ１４１参照）。
【００６９】
サーバ２００は、本実施形態に係るシステム全体を制御し、ウエアラブル端末１００、情報端末３００からアクセス可能であると共に、サーバ２００からもウエアラブル端末１００、情報端末３００にもアクセス可能である。すなわち、ウエアラブル端末１００から送信されてくる画像や情報をデータベース２３０に蓄積し、またウエアラブル端末１００から要求される作業ガイドに関する情報を送信する。また、歯科医が使用する情報端末３００から要求されるクラウンに関する情報を送信する。この他、種々の情報を受信し、また送信する。
【００７０】
サーバ２００内の制御部２１０は、ＣＰＵ（Central Processing Unit）とプログラムを記憶したメモリ、および周辺回路を有するＡＳＩＣ（Application Specific Integrated Circuit）から構成されている。この制御部２１０は、サーバ２００内の全体制御を行うと共に、ウエラブル端末１００および情報端末３００に対するデータ・情報等の全体制御も行う。
【００７１】
また、制御部２１０内には、検索部２１１、表示制御部２１２、ガイド部２１３を有し、これらの各部は、本実施形態においては、ＣＰＵとプログラムによって実現する。なお、これらの各部の全部または一部を周辺回路によって実現してもよい。
【００７２】
検索部２１１は、ウエラブル端末１００および情報端末３００からの要求に応じた情報を検索する。例えば、技工士が装着するウエラブル端末１００から作業部位に関するガイド情報の要求があった場合には、これに対応する情報をデータベース２３０から検索する（例えば、図１４のＳ１５９参照）。また、歯科医が使用する情報端末３００から患者の要望に合ったクラウンを製作可能な技工士に関する要求があった場合には、このクラウンに近い例をデータベース２３０から検索する（例えば、図１２のＳ９１、Ｓ９７参照）。
【００７３】
検索部２１１は、例えば、図５に示すように、ウエラブル端末１００から通信部１２０を介して作業画像Ｐ１から送信されてくると、この作業画像Ｐ１を用いて、データベース２３０の中から、これと同じ部位に対して同様の作業を行っている作業画像Ｐ２を検索する。また、検索部２１１は、情報端末３００から撮影画像、シミュレーション画像、または目標画像を取得し、この取得した画像と類似する画像をデータベース２３０の中から検索する。
【００７４】
表示制御部２１２は、検索部２１１によって検索された情報を、ウエラブル端末１００または情報端末３００に送信する際に、各表示部１５０、３５０において、ガイド情報（テキスト情報を含めてもよい）が適正に表示されるように、表示制御を行う。例えば、検索部２１１が作業画像Ｐ２を検索すると、作業画像Ｐ１にガイド画像Ｐ３ａを重畳した画像Ｐ３を生成し、ウエラブル端末１００に送信する。ウエラブル端末１００は、この受信した画像Ｐ３を表示部１５０に表示させる。また、画像Ｐ３に、ガイド画像Ｐ３ａに関連して記録されているガイド情報（テキスト情報）を表示させるようにしてもよい。
【００７５】
ガイド部２１３は、検索部２１１が検索した画像を用いて、ガイド表示を行うためのデータを生成する。また、情報統制部２１３ａは、開示範囲の情報統制を行う。すなわち、後述するように契約ＤＢ２３２によって、情報開示される範囲が制限されており、情報統制部２１３ａは、この契約に従った情報開示を行う（例えば、図１４のＳ１５９参照）。
【００７６】
また、ガイド部２１３は、図１０を用いて後述するように、ウエアラブル端末１００から特定部位についてガイド表示が要求された場合、この特定部位における作業を開始する所定時間前等の起点からの画像のコマを類推する。なお、起点は所定時間前に限らず、作業用の道具の位置関係ある場合等、他の事項に基づいて類推するようにしてもよい。ガイド部２１３は、部位に応じた工程で使用する第１の使用器具または材料に基づいて、作業起点に対応する撮影画像のコマを類推する起点画像類推部として機能する。なお、本実施形態においては、起点画像類推部の機能はサーバ２００内に設けている。しかし、ウエアラブル端末１００がサーバ２００から送信されてきた撮影画像を解析し、起点画像を類推するようにしてもよい。
【００７７】
また、ガイド表示の動画開始部分を作業の起点に限る必要はなく、作業の途中の動画部分から見て前に戻るような確認方法もあり、起点画像類推部は動画のどのあたりかを判定するようなインデックス付与部、と言い換えても良い。つまり、この画像は作業者の目の近傍から撮影された作業中視界で得られるもので、当該作業者の両手での作業の様子や、上記作業中視界に入っている器具、道具、材料を判定する判定部を有し、上記工程で使用する使用器具、道具または材料に基づいて、作業起点や作業中の特定のタイミングに対応する上記撮影画像のコマを類推する起点画像類推部またはインデックス情報付与部を有する。この時、図４のようなデータベースに記録された道具や材料などの画像特徴と撮影画像を比較して、各工程を判定するだけでなく、一般的な工程別作業所要時間や、工程順序などをデータベースの情報として、工程判定の精度を上げてもよい。
【００７８】
情報端末３００は、制御部３１０、通信部３２０、記録部３３０、操作部３４０、表示部３５０を有する。情報端末３００は、歯科医が使用する端末であり、この情報端末３００を介して、患者の歯に適したクラウンを製作可能な技工士を検索することができる。すなわち、クラウンを製作するには、患者の歯の色等に最も近い、もしくは患者の好みに合った色等にしなければならないが、審美性が要求されるため、技工士の過去の実績に考慮して、技工士を探し出すことが望ましい。そこで、本実施形態においては、技工士の過去のクラウン製作の実績を示す画像を、データベース２３０に記録しておき、この画像を表示することにより、歯科医が最適な技工士を探し出せるようにしている。
【００７９】
制御部３１０は、ＣＰＵ（Central Processing Unit）とプログラムを記憶したメモリ、および周辺回路を有するＡＳＩＣ（Application Specific Integrated Circuit）から構成されている。この制御部３１０は、情報端末３００内の各部を制御することにより情報端末３００の全体制御を行う。また、制御部３１０内には、操作判定部３１１、表示制御部３１２を有し、これらの各部は、本実施形態においては、ＣＰＵとプログラムによって実現する。なお、これらの各部の全部または一部を周辺回路によって実現してもよい。
【００８０】
操作判定部３１１は、操作部３４０の操作状態を判定する。例えば、操作部３４０としてキーボードが設けられている場合には、キーボードによって入力されたテキスト情報を判定する。同様に、操作部３４０としてマウスが設けられている場合には、マウスの動きを判定する。
【００８１】
表示制御部３１２は、表示部３５０に表示する画像の制御を行う。例えば、サーバ２００からクラウンに関する画像が送信されてきた場合には、この画像の表示制御を行う。
【００８２】
通信部３２０は、通信回路を有し、ウエラブル端末１００とデータや制御コマンド等の通信を行う。
【００８３】
記録部３３０は、電気的に書き換え可能な不揮発性メモリを有し、情報端末３００の各種データを記録する。記録部３３０内には、患者データベース（ＤＢ）３３１、技工士データベース（ＤＢ）３３２の領域を有する。患者ＤＢ３３１は、患者の氏名、治療内容、装着するクラウン等に関するデータが記録される領域である。技工士ＤＢ３３２は、当該歯科医院と取引の実績のある技工士、または取引の候補となる技工士に関するデータが記録される領域である。
【００８４】
操作部３４０は、情報端末３００に設けられているキーボード、マウス、タッチパネル等の入力用の操作部材である。情報入力部３６０は、画像や音声等の情報を情報端末に入力する。歯科医は情報入力部３６０を使用して、患者用のクラウンを製作するための形状、色等の情報を入力することができる。
【００８５】
表示部３５０は、情報端末３００に設けられているディプレイ等であり、サーバ２００から送信されてきた画像を表示する。また、種々のメニュー画面等も表示可能である。
【００８６】
次に、図６を用いて、本実施形態において記録するデータについて説明する。図６（ａ）は、データベース２３０に記録されているデータを示す。データベース２３０には、製作物形状データベース（ＤＢ）２３１と、契約データベース（ＤＢ）２３２と製作データベース（ＤＢ）２３３の領域を有する。
【００８７】
製作物形状ＤＢ２３１は、歯の形状およびクラウンの形状を３次元的な表したデータベースである。歯科医は、技工士を検索する際に、この製作物形状ＤＢ２３１を用いて、類似の形状のクラウンを製作した技工士を検索することが可能となる。
【００８８】
契約ＤＢ２３３は、技工士や歯科医との情報取得に関する契約が記録されている。前述したように、技工士および歯科医は、契約により、情報開示される範囲が異なっている。例えば、技工士Ａは、ウエラブル端末１００によって取得した画像等でサーバ２００に送信した情報は、制限なく、第三者に開示可能としているが、技工士Ｂは第三者に開示できる範囲を制限している場合がある。また、技工士側でも開示を受けられる範囲に制限がある場合がある。そこで、本実施形態においては、これらの契約に応じた開示範囲の制限を行えるようにするため、契約ＤＢ２３２を設けている。
【００８９】
製作ＤＢ２３３は、技工士がクラウンの製作を行った実績を記録する。「上１番」「上２番」は、歯の位置を示す。それぞれ実際に製作したクラウンを作例Ａ、作例Ｂとして記録し、それぞれの作例の製作した技工士名と、その作業情報（作業ＤＢ）を、データベースとして記録している。
【００９０】
製作ＤＢ２３３において、製作例、技工士名、作業ＤＢの順に秘密性が高まり、情報統制が重要となる。重要な情報について開示を許諾している技工士については、特典を受けられるようにしてもよい。
【００９１】
図６（ｂ）は、工程別情報のデータの構造を示す。この工程別情報を用いることにより、ガイド部２１３がガイド表示を行うことができる。
【００９２】
図６（ｂ）において、左側には歯科医からのインプットされる情報を示す。すなわち、インプット情報としては、クラウンの目標色、クラウンの土台となる土台色、クラウンの厚み等の色に関する情報がある。また、クラウンの土台形状、クラウンの形状（目標形状）、およびクラウンを製作する歯に隣接する歯の情報（隣接情報）がある。なお、目標色等の色情報については、測色装置によって数値化された情報を用いると便利である。測色装置としては、例えば、オリンパス株式会社の「クリスタルアイ」等を利用すればよい。
【００９３】
また、図６（ｂ）の右側には、技工士は目標色等の色情報を実現するためのレシピ、すなわち、セラミック材料、顔料等の種類、混合比等の情報を示す。クラウンを製作するために、何回も塗布と焼成を繰り返しており、それぞれの層（図６（ｂ）では層Ａ〜層Ｃ）毎に、色や焼成スケジュール、測色装置による測色を行う。なお、測色装置によってチェックを行い、レシピに記載の色と、測色装置によって測色された結果の差（色差）ΔＥが、所定よりも大きくなった場合には、やり直すことが望ましい。最後の測色装置による測色結果は、完成品のレベルとなるので、重要である。
【００９４】
次に、図７を用いて、技工士の選定およびクラウン製作の際のガイド表示について説明する。図７の右側に記載の歯科医４２０は、クラウンの製作を依頼する技工士（技工所）を、情報端末３００によって検索している。すなわち、歯科医４２０は、操作部３４０を操作することによって、クラウン製作する技工士の選定のためのメニュー画面に表示させる。そして、情報入力部３６０からクラウンの形状や色に関する画像を入力し、また操作部３４０によって、その他の条件等を入力する。
【００９５】
情報端末３００の表示部３５０には、クラウンの形状や色等が表示され、これをサーバ２００に送信する。サーバ２００はデータベース２３０に記録されている過去に製作されたクラウンの画像の中から、受信した画像に近いクラウンを検索し、検索したクラウンの画像を情報端末３００に送り返す。図７の表示部３５０には、これらの検索画像と、情報端末３００から送信したクラウンの画像を比較し易いように並べて表示する。
【００９６】
歯科医４２０は、表示部３５０に表示された複数のクラウンの画像の中から歯科医４２０や患者の好みの色等で製作することができる技工士を選定することができる。技工士が決まれば、情報端末３００およびサーバ２００を介して、技工士に発注するようにシステムを構成すれば、大変便利である。
【００９７】
図７の左側は、クラウンを製作する技工士Ａ４３０および技工士Ｂ４４０を示す。技工士Ａ４３０および技工士Ｂ４４０は、それぞれウエアラブル端末１００を頭部に装着してクラウンを製作している。技工士Ａ４３０が、クラウンを製作する際に、ウエアラブル端末１００の画像入力部１４０ａによって撮影された動画画像Ｐ１５はサーバ２００内のデータベース２３０に記録され、同様に、技工士Ｂ４４０の製作中の動画画像Ｐ１６もサーバ２００内のデータベース２３０に記録される。
【００９８】
今、技工士Ａ４３０がクラウンの製作にあたって、製作方法に指導を受けることを希望する場合に、同じ部位に同様の処理を施す場合の動画を閲覧できれば、大変参考になる。但し、製作方法は企業秘密にしている場合が多い。そこで、技工士Ａ４３０はサーバ２００を介して閲覧することについて許可を申請する。サーバ２００内の情報統制部２１３ａは、契約ＤＢ２３２に記録されている契約内容に応じて、技工士Ａ４３０にガイド用の画像を閲覧するか否かを判断する。
【００９９】
情報統制部２１３ａによって、許可されると技工士Ａ４３０は、現在、製作中の部位に関するガイド用画像をウエラブル端末１００の表示部１５０によって、作業をしながら閲覧することができる。図７に示す例では、技工士Ａ４３０は、技工士Ｂ４４０が行った作業を閲覧している。この場合、技工士Ｂ４４０には、何らかの特典が付与される。特典としては、他の技工士が行った作業の動画を閲覧することができるとか、金銭的報酬が与えられる等がある。
【０１００】
次に、図８を用いて、ウエラブル端末１００について説明する。このウエアラブル端末１００は、眼鏡型の形状しており、図８（ｂ）に示すように、技工士４５０の頭部に装着する。ウエアラブル端末１００は、つる１７０（図８（ａ）参照）の先端部に画像入力部１４０ａが設けられている。
【０１０１】
また、レンズを配置する枠（リム）には、本実施形態においては、レンズを設けず、屈折力のないガラスを配置するか、素通し状態としておく。なお、技工士４５０の目に合わせて、レンズを配置するようにしてもよい。枠に重畳して表示を行うように、表示部１５０が配置されている。
【０１０２】
図８（ａ）は、ウエアラブル端末１００の形状を示す斜視図である。ウエアラブル端末１００は、前述したように眼鏡型の形状をしており、眼鏡のつる（テンプル）１７０と、眼鏡の枠の位置に設けられた表示部１５０を有する。つる１７０の先端部には、対物レンズ１４１が配置され、つる１７０の内部であって対物レンズ１４１によって画像が形成される位置に撮像素子が配置されている。画像入力部１４０ａは、対物レンズ１４１および撮像素子等から構成される。
【０１０３】
ウエラブル端末１００のつる１７０には回路収納部１４２が設けられており、この回路収納部１４２は、制御部１１０、通信部１２０、記録部１３０等の回路が収納されている。また、つる１７０の耳かけ付近には、音声・振動出力部１６０が設けられている。音声・振動出力部１６０は、画像でガイド表示する際、または画像なしで音声や振動によるガイドを行う。
【０１０４】
ウエラブル端末１００の表示部１５０には、つる部１７０に設けられた表示パネル１５１と、この表示パネル１５１に表示された画像を技工士４５０の目４５１に導光するための導光部１５２が設けられている。技工士４５０は導光部１５２を介して、ガイド表示（ガイド情報）を見ることができる。また、表示部１５０には、音声入力部１４３が設けられている。音声入力部１４３には、マイク等を有し、技工士４５０の周辺の音声を取集することができる。
【０１０５】
図８（ｃ）は、ウエアラブル端末１００の視界を説明する図である。二点鎖線１４０ｓで囲まれた領域は、対物レンズ１４１を介した画像入力部１４０ａの視界である。この視界の画像が、静止画または動画で記録される。破線１４０Ｌ、１４０Ｒで囲まれた２つの領域は、それぞれ眼鏡の枠によって決まる視界である。
【０１０６】
また、図８（ｃ）に示す破線１４０Ｌ、１４０Ｒで囲まれた視野の内、上部側は技工士の視界Ｎであり、下部側は技工士の視界Ｃである。視界Ｎは、技工士が作業を行う際の視線方向の視界であり、視界Ｃは、技工士が作業の際に表示部１５０のガイド表示を見るときの視線方向視界である。このように、技工士は作業を行う際には、視界Ｎの範囲を見ることから表示部１５０におけるガイド表示が邪魔にならず、またガイド表示を見ているときは視界Ｃの範囲を見ており、作業台の様子をある程度見ることができる。すなわち、視界の一部に表示部１５０による表示が見えるが、表示部１５０が視界を覆い尽くすことないことから好都合である。
【０１０７】
次に、図９を用いて、技工士が行う作業と表示部１５０によるガイド表示について説明する。図９（ａ）は、技工士４５０がウエアラブル端末１００を装着し、作業を行う際の視線方向と、表示部１５０のガイド表示を見る際の視線方向を示す。すなわち、作業を行う際には、視線方向はＬＳ１であり、一方、表示部１５０を見る際には、視線方向はＬＳ２である。両視線方向は、角度θ２だけずれている。
【０１０８】
また、画像入力部１４０ａの撮像範囲は撮像方向ＳＬ１を中心とし、点線で示される範囲である。技工士４５０の視線方向ＬＳ１と、画像入力部１４０ａの撮像方向ＳＬ１は、同じ方向であることから、画像入力部１４０ａは技工士４５０が作業しているところの画像を取得することができる。
【０１０９】
図９（ｂ）〜（ｄ）は、作業台におけるクラウン５００に絵具（セラミックと顔料を混合）を塗布する様子を示す。図９（ｂ）は、パレット５０２の凹部で絵具５０３が混合され、この混合された絵具を筆５０１に浸している様子を示す。図９（ｃ）は、クラウン５００を把持具５０４に取り付け、筆５０１でクラウン５００に絵具を塗布している様子を示す。
【０１１０】
図９（ｂ）（ｃ）に示す状態では、技工士４５０は表示部１５０を見ることなく、視界Ｎ（図８（ｃ）参照）を通して、直接、見ながら作業を行っている。作業中に、ガイド表示を見たくなると、視線方向をＬＳ２に変え、表示部１５０を見るようにする。この時の様子を図９（ｄ）に示す。表示部１５０には、手本となる画像が表示されることから、このガイド表示を見ながら、クラウン５００の絵具を塗布することができる。
【０１１１】
また、把持具５０４とクラウン５００の位置関係に基づいて、技工士４５０が何れの部位に対して作業を行っているかを判断することができる。クラウン５００は、決められた位置に突起が設けられており、この突起を把持具５０４によって把持することができる。従って、把持具５０４と筆５０１の位置関係を見ることにより、技工士４５０がどの部位に対して作業を行っているかを判定できる。この判定は、画像入力部１４０ａによって取得された画像データを解析すればよい。
【０１１２】
次に、図１０を用いて、層Ａから層Ｃについて記録された作業工程を示す。図１０の上段は、クラウン５００の特定の部位Ａに例えば絵具Ａを塗布する層Ａ作業工程を示す。時刻Ｔ＝Ｔ１０は、作業起点のコマを示す。時刻Ｔ＝Ｔｔにおいて、技工士はクラウン５００の中央部位に絵具の塗布を行っている。この部位を作業中に、技工士がガイド表示を要求した場合には、時刻Ｔｔの所定時間前からモデルとなる作業見本の動画を表示部１５０に表示する。もちろん、様々な色を塗り重ねる場合もあり、この場合、絵具は複数となる。つまり、作業を明確に可視化し、検索しやすくするには、部位ごとに作業を分類する場合、絵具ごとに分類する場合、筆ごとに分類する場合、これらを全て、または一部を含むような時間帯で分類する場合などがあり得る。
【０１１３】
図１０の中段は、クラウン５００に絵具Ｂを塗布する層Ｂ作業工程を示す。時刻Ｔ＝Ｔｒにおいて、技工士はクラウン５００の切端部位に絵具の塗布を行っている。この部位を作業中に、技工士がガイド表示を要求した場合には、時刻Ｔｒの所定時間前からモデルとなる作業見本の動画を表示部１５０に表示する。
【０１１４】
図１０の下段は、クラウン５００に絵具Ｃを塗布する層Ｃ作業工程を示す。時刻Ｔ＝Ｔｃにおいて、技工士はクラウン５００の歯頸部位に絵具の塗布を行っている。この部位を作業中に、技工士がガイド表示を要求した場合には、時刻Ｔｃの所定時間前からモデルとなる作業見本の動画を表示部１５０に表示する。
【０１１５】
層Ａから層Ｃの作業工程において、ガイド表示を行う際には、作業起点のコマ（ガイド表示の際の最初のコマ）では、絵具の材質、例えば、メーカの型番を表示し、また、Ｔｔのコマでは色を測色装置の数値で表示するようにしてもよい。なお、作業起点のコマは、特定部位の作業を行う所定時間前のタイミングでもよく、また作業道具が特定の位置にある場合でもよい。
【０１１６】
また、前述したように、作業部位は把持具５０４と筆５０１の位置関係を、画像入力部１４０ａによって取得した画像データに基づいて判定することができる。
【０１１７】
次に、図１１ないし図１６に示すフローチャートを用いて、本実施形態に係る記録システムの動作について説明する。
【０１１８】
図１１に示すフローチャートは、歯科医が使用する情報端末３００における動作を示す。このフローは、情報端末３００内の制御部３１０のＣＰＵがメモリに記憶されたプログラムに従って、情報端末３００内の各部を制御することにより実行する。
【０１１９】
情報端末のフローに入ると、まず、操作中か否かを判定する（Ｓ５１）。ここでは、操作部３４０において操作用の部材（例えば、キーボード、マウス、タッチパネル等）が操作されたか否かに基づいて判定する。
【０１２０】
ステップＳ５１における判定の結果、操作中であった場合には、クラウン加工ＤＢアクセスモードか否かを判定する（Ｓ５３）。歯科医がクラウン加工を行うために、サーバ２００中のデータベースにアクセスする場合には、操作部３４０を操作し、クラウン加工ＤＢアクセスモードを設定する。ここでは、このモードが設定されたか否かを判定する。この判定の結果、クラウン加工ＤＢにアクセスする場合でなければ、操作部３４０の操作によって設定された作業に進む。
【０１２１】
ステップＳ５３における判定の結果、クラウン加工ＤＢにアクセスする場合には、ログイン、サーバ通信、および通信結果を表示する（Ｓ５５）。ここでは、サーバ２００にアクセスするためのログインを行い、サーバ２００と通信を行い、アクセスの可否を表示部３５０に表示する。
【０１２２】
ログインでき、通信結果を表示すると、次に、その他の情報、例えば、患者の年齢、性別等を入力する（Ｓ５７）。ここでは、クラウン製作を依頼する際に必要なる情報、上述した患者の年齢の他、クラウンの材料、費用等を入力する。
【０１２３】
続いて、入力画像があるか否かを判定する（Ｓ５９）。クラウンの製作を依頼する際に、患者の歯の形状、歯の色、隣接する歯の形状、クラウンの土台の色と形状等を示す画像が入力されているか否かを判定する。この判定は、歯科医が操作部３４０の操作に基づいて判定する。クラウンの外形は、患者のクラウンを製作する対象となっている歯の形状、隣接する歯の形状を考慮し、クラウンの内側の形状はクラウンの土台を考慮し、またクラウンの色は土台の色および患者の歯の色を考慮する。
【０１２４】
ステップＳ５９における判定の結果、入力画像がある場合には、画像を入力する（Ｓ６１）。ここでは、情報入力部３６０によって、画像を情報端末３００に取り込む。
【０１２５】
ステップＳ６１において、画像を入力すると、またはステップＳ５９における判定の結果、入力画像がない場合には、次に、検索を行うか否かを判定する（Ｓ６３）。歯科医がクラウンの製作を依頼する技工士を検索する場合には、操作部３４０を操作するので、この操作状態に基づいて判定する。
【０１２６】
ステップＳ６３における判定の結果、検索の場合には、情報を送信する（Ｓ６５）。ここでは、情報端末３００からサーバ２００に、ステップＳ５７、Ｓ６１で入力した情報を送信する。サーバ２００は、この情報を受信すると、受信情報に基づいて、条件に近いクラウンの例を複数、検索する。
【０１２７】
一方、ステップＳ６３における判定の結果、検索でない場合には、追加情報を取得するか否かを判定する（Ｓ６７）。後述するステップＳ７１において、検索結果が表示されるが、この検索結果が十分ではない場合には、更に追加情報を取得するか否かを判定する。この判定は、歯科医が操作部３４０の操作に基づいて判定する。
【０１２８】
ステップＳ６７における判定の結果、追加情報を取得する場合には、要求情報を送信する（Ｓ６９）。ここでは、クラウンの色等、さらに絞り込むための情報や、次候補の表示等、サーバ２００に要求情報を送信する。
【０１２９】
ステップＳ６５において情報を送信すると、またはステップＳ６９において要求情報を送信すると、取得結果を表示する（Ｓ７１）。サーバ２００は、ステップＳ６５における情報、またはステップＳ６９における要求情報を受信すると、これらの情報に応じて、検索を行い、検索結果を情報端末３００に送信してくる。このステップでは受信した検索結果を表示部３５０に表示する。表示に際しては、サーバ２００のデータベース２３０に記録されている製作されたクラウンの実績の中から、入力された情報に近いクラウンの例を比較してみることができる。取得結果を表示すると、ステップＳ５１に戻る。
【０１３０】
ステップＳ６７に戻り、このステップにおける判定の結果、追加情報の取得でない場合には、結果記録か否かを判定する（Ｓ７３）。完成したクラウンを受領し、患者に装着すると、結果を記録する。ここでは、このような記録を行うか否かについて、歯科医が操作部３４０の操作に基づいて判定する。
【０１３１】
ステップＳ７３における判定の結果、結果記録の場合には、症例を記録する（Ｓ７５）。ここでは、完成したクラウンの画像、患者にクラウンを装着した状態での画像、技工士に関する情報等を記録部３３０に記録する。
【０１３２】
一方、ステップＳ７３における判定の結果、結果記録でない場合には、契約等の処理を行う（Ｓ７７）。歯科医とサーバ２００の運営者との間で、情報送信および情報受信に関して契約が結ばれる場合には、これらの処理を行う。その他、クラウン加工に関する処理を行ってもよい。
【０１３３】
ステップＳ７５における症例記録を行うと、または契約等の処理を行うと、ステップＳ５１に戻る。
【０１３４】
このように、情報端末のフローにおいて、歯科医はクラウンの製作を依頼する際に、クラウンの土台、患者の歯の色等の情報を入力することにより、サーバ２００のデータベース２３０に記録されている製作されたクラウンの実績の中から、入力された情報に近いクラウンの例を比較してみることができる。クラウンの製作の依頼にあたっては、患者の好みが大きく影響し、またクラウンの製作にあたっては審美性が要求される。複数のクラウンの例を比較してみることができることから、最適な技工士に依頼することが可能となる。
【０１３５】
次に、図１２に示すフローチャートを用いて、サーバ２００の動作について説明する。このフローチャートは、情報端末３００と協働する動作のみについて記載しており、後述する図１４に示すフローチャートは、ウエラブル端末１００と協働する動作のみを記載する。図１２および図１４に示すフローは、サーバ２００内の制御部２１０のＣＰＵがメモリに記憶されたプログラムに従って、サーバ２００内の各部を制御することにより実行する。
【０１３６】
サーバのフローに入ると、まず、アクセス有りか否かを判定する（Ｓ８１）。前述したように、歯科医はクラウン製作の技工士を検索する際に、情報端末３００からサーバ２００にアクセスしてくる（図１１のＳ５５参照）。そこで、このステップでは、情報端末３００からのアクセスの有無について判定する。判定の結果、アクセスがない場合には、待機状態となる。
【０１３７】
ステップＳ８１における判定の結果、アクセスがあった場合に、アクセスを許可するか否かを判定する（Ｓ８３）。ここで、サーバ２００にアクセスすることが許可されている者であるあるか否を判定する。この判定の結果、許可されない場合には、待機状態となる。
【０１３８】
ステップＳ８３における判定の結果、許可された場合には、次に、初期画面を送信する（Ｓ８５）。ここでは、情報端末３００に、クラウン加工関連のアイコン等を含む初期画面を送信する。
【０１３９】
続いて、情報端末でクラウン加工関連を行うか否かについて判定する（Ｓ８７）。歯科医が情報端末３００からクラウンの製作を依頼するための検索等を行う場合には、初期画面でクラウン加工関連のアイコンをクリックする等の操作を行う。このステップでは、情報端末３００からの情報に基づいて判定する。この判定の結果、クラウン加工関連でない場合は、初期画面で設定された他のサービスを実行する。
【０１４０】
ステップＳ８７における判定の結果、クラウン加工関連の場合には、画像入力で検索するか否かについて判定する（Ｓ８９）。歯科医は、クラウンを製作する技工士を検索する際に、歯の色、歯の形状、歯の色等を示す画像を送信してくる場合がある（図１１のＳ６１〜Ｓ６５参照）。このステップでは、情報端末３００から、このような画像が検索のために送信されてきたかに基づいて判定する。
【０１４１】
ステップＳ８９における判定の結果、画像入力で検索を行う場合には、画像、情報でデータベース（ＤＢ）検索を行う（Ｓ９１）。ここでは、情報端末３００から入力した画像、および画像に関連して入力した情報に基づいて、データベース２３０内で検索を行う。すなわち、データベース２３０に記録されている完成したクラウンの画像、およびそれに関する情報の中から、入力した画像および情報に近いクラウン（類似症例）を検索する。
【０１４２】
続いて、類似症例検索結果を比較表示する（Ｓ９３）。ステップＳ９１における検索では、近いもの（類似症例）を複数探し出してくるので、ここでは、検索された類似症例を比較して表示できるよう、画像データ等を情報端末３００に送信する。情報端末３００は、このデータを受けると結果を表示する（図１１のＳ７１参照）。なお、表示方法としては、２以上の症例を並べて表示してもよく、情報端末３００側の指示で順次表示するようにしてもよい。
【０１４３】
比較表示を行うと、次に、追加情報が要求されているか否かについて判定する（Ｓ９５）。前述したように、情報端末３００では、歯科医がさらに情報の取得を要求する場合には、要求情報を送信してくる（図１１のＳ６９参照）。このステップでは、追加情報を要求されているか否かを判定する。この判定の結果、追加情報の要求が無い場合には、ステップＳ８１に戻る。
【０１４４】
ステップＳ９５における判定の結果、追加情報の要求がある場合には、契約ＤＢの結果に従って選択された情報を送信する（Ｓ９７）。ここでは、データベース２３０内の契約ＤＢ２３２に記録されている契約の範囲内で、追加情報の要求に従って情報を検索し、情報端末３００に送信する。情報端末３００は情報を受信すると、表示部３５０に表示を行う（図１１のＳ７１参照）。情報を送信すると、ステップＳ８１に戻る。
【０１４５】
ステップＳ８９に戻り、この判定の結果、画像入力で検索を行わない場合には、次に、画像入力で記録するか否かを判定する（Ｓ９９）。前述したように、歯科医が受け取った完成クラウン、患者に装着した状態、技工士情報等を記録する場合がある（図１１のＳ７５参照）。ここでは、情報端末３００から記録の要求があるか否かに基づいて判定する。
【０１４６】
ステップＳ９９における判定の結果、記録を行う場合には、症例として記録し、データベース（ＤＢ）化する（Ｓ１０１）。ここでは、患者にクラウンを装着した状態での画像（術後画像）、技工士情報等を、データベース２３０に記録する。記録すると、ステップＳ８１に戻る。
【０１４７】
一方、ステップＳ９９における判定の結果、記録を行わない場合には、契約ＤＢの更新等を行う（Ｓ１０３）。ここでは、ステップＳ８９、Ｓ９９における判定に当てはまらない場合であり、その他の処理、例えば、契約ＤＢの更新等を行う。契約ＤＢの更新としては、例えば、技工士に自らのクラウン製作の画像の閲覧を許可した場合等における特典を、契約ＤＢに記録する。契約ＤＢの更新等を行うと、ステップＳ８１に戻る。
【０１４８】
このように、情報端末と協働するサーバのフローにおいては、ウエアラブル端末１００からの送信されてきた患者の歯の形状、歯の色、隣接する歯の形状、クラウンの土台の色と形状等に基づいて、これに近いクラウンを検索している。このため、歯科医は患者の歯に最適なクラウンを製作できる技工士を検索することが可能である。また、術後の画像や技工士情報等をサーバ２００に記録するようにしているので、サーバ２００における検索を容易にすることができる。
【０１４９】
次に、図１３に示すフローチャートを用いて、ウエアラブル端末１００の動作について説明する。このフローチャートは、ウエアラブル端末１００内の制御部１１０のＣＰＵがメモリに記憶されたプログラムに従って、ウエアラブル端末１００内の各部を制御することにより実行する。
【０１５０】
ウエアラブル端末のフローに入ると、まず、操作が有ったか否かについて判定する（Ｓ１１１）。ここでは、技工士がウエアラブル端末に設けられた電源スイッチ等の操作部材を操作したか否かを判定する。
【０１５１】
ステップＳ１１１における判定の結果、操作がなかった場合には、所定時間で電源をオフする（Ｓ１３１）。ウエアラブル端末１００の電源電池は一般に小型のものが多いことから、電源浪費を防止するために、所定時間で電源をオフするようにしている。電源をオフすると、スリープ状態となり、電源スイッチの状態のみを監視するようになる。
【０１５２】
ステップＳ１１１における判定の結果、操作があった場合には、次に、初期画面を表示する（Ｓ１１３）。ここでは、表示部１５０に初期画面を表示する。初期画面では、クラウン加工ＤＢ（データベース２３０）にアクセスし、情報を取得したり、またデータベースＤＢに画像を記録する等のモード選択を行うことができる。
【０１５３】
初期画面を表示すると、次に、クラウン加工ＤＢにアクセスか否かを判定する（Ｓ１１５）。データベース２３０にアクセスし、ガイド用画像を閲覧した場合等には、技工士はクラウン加工ＤＢにアクセスを選択する。
【０１５４】
ステップＳ１１５における判定の結果、クラウン加工ＤＢにアクセスする場合には、ログイン等を行う（Ｓ１１７）。ここでは、ウエアラブル端末１００からサーバ２００にアクセスするためのＩＤやパスワードを入力し、ログインを行う。
【０１５５】
続いて、ガイド情報を要求するか否かを判定する（Ｓ１１９）。技工士がクラウン製作を行っている際に、ガイド用画像やレシピ等のガイド情報を閲覧したい場合には、ガイド情報をサーバ２００に要求する。要求方法としては、例えば、情報取得部１４０の音声入力部１４３（図８参照）に音声で入力するようにしてもよく、また手動操作部材を設けておいてもよい。なお、ガイド情報を要求し閲覧できた場合には、技工士に与えられる特典から閲覧相当分を減算する。
【０１５６】
ステップＳ１１９における判定の結果、ガイド情報の要求であった場合には、ガイド情報を取得する（Ｓ１２１）。ここでは、サーバ２００のデータベースに記録されている画像の中から、現在の作業にあった画像を検索し、検索されたガイド情報を取得する。具体的には、現在作業中のパターンと同様のパターンでクラウンを製作し、また同様の部位に対する作業を行っている画像、レシピ等（図６参照）を、取得する。この取得した情報は、後述するステップＳ１４１において、表示部１５０に表示する（例えば、図９（ｄ）参照）。
【０１５７】
一方、ステップＳ１１９における判定の結果、ガイド情報の要求でない場合には、情報をアップするか否かを判定する（Ｓ１２５）。前述したように（例えば、図９（ａ）〜（ｃ）参照）、本実施形態においては、ガイド用画像等のガイド情報をサーバ２００に記録しておき、契約に従って他の技工士に開示することも可能である。このステップでは、ガイド画像をサーバ２００に記録するか否かを判定する。判定方法としては、例えば、情報取得部１４０の音声入力部１４３（図８参照）に入力した音声に基づいて行ってもよく、また手動操作部材を設けておいてもよい。
【０１５８】
ステップＳ１２５における判定の結果、情報アップの場合には、作業動画をアップする（Ｓ１２７）。後述するステップ１３５、Ｓ１３７において、情報取得部１４０の画像入力部１４０ａによって、作業中の動画やまた測色カメラで撮影した静止画や色情報を取得している。このステップでは、これらの情報をサーバ２００に送信し、データベース２３０に記録する。なお、後述するように、この情報は契約によって認められている範囲に開示する。
【０１５９】
続いて、特典取得加算依頼等を行う（Ｓ１２９）。サーバ２００は、技工士からガイド画像等の情報の提供を受けたことから、この技工士に特典を付与する（図７参照）。
【０１６０】
ステップＳ１２９において特典を加算すると、またはステップＳ１２１においてガイド情報を主とすると、次に、戻るか否かを判定する（Ｓ１２３）。ここでは、最初の状態に戻るか否かを判定する。判定方法としては、例えば、情報取得部１４０の音声入力部１４３（図８参照）に入力した音声に基づいて行ってもよく、また手動操作部材を設けておいてもよい。この判定の結果、最初に戻らない場合には、ステップＳ１１９に戻る。
【０１６１】
ステップＳ１１５に戻り、このステップにおける判定の結果、クラウン加工ＤＢでない場合には、加工画像の記録か否かを判定する（Ｓ１３３）。クラウン製作の作業中に、動画を記録するか否かを判定する。なお、この動画は、契約によって認められている範囲に開示される（Ｓ１１９、Ｓ１２１）。
【０１６２】
ステップＳ１３３における判定の結果、加工画像の記録の場合には、動画撮影を行い、記録する（Ｓ１３５）。ここでは、情報取得部１４０の画像入力部１４０ａによって、クラウン製作の作業中の動画を取得する。前述したように、この動画はステップＳ１２７においてこれをサーバ２００に送信し、データベース２３０に記録する。動画撮影記録の詳しい動作については、図１５を用いて後述する。
【０１６３】
続いて、動画撮影が終わると、測色カメラで撮影する（Ｓ１３７）。測色カメラは、色を正確に再現することができ、また色を数値で表すことができ、また静止画を取得する。ここで、取得した画像データを含む情報は、サーバ２００に送信し、データベース２３０に記録される。測色カメラで撮影するとステップＳ１１１に戻る。
【０１６４】
ステップＳ１３３における判定の結果、加工画像記録でない場合には、ガイド表示か否かを判定する（Ｓ１３９）。図７、図９（ｄ）を用いて説明したように、技工士が他の技工士の作業状態を参考にしたい場合には、サーバ２００に対してガイド画像の表示を要求する。このステップではガイド画像の表示を行うか否かを判定する。判定方法としては、例えば、情報取得部１４０の音声入力部１４３（図８参照）に入力した音声に基づいて行ってもよく、また手動操作部材を設けておいてもよい。
【０１６５】
ステップＳ１３９における判定の結果、ガイド表示を行う場合には、条件に従って表示する（Ｓ１４１）。ここでは、ステップＳ１２１において取得した情報に基づいてガイド表示を行う。この条件に従って行う表示の詳しい動作については、図１６を用いて後述する。
【０１６６】
一方、ステップＳ１３９における判定の結果、ガイド表示を行わない場合には、歯科医からの特典を依頼する（Ｓ１４３）。技工士が他の技工士が行った作業動画を参照したことから、この他の技工士に対して特典を付与するようにサーバ２００を介して依頼する。
【０１６７】
ステップＳ１４１において表示を行うと、またはステップＳ１４３において特典を依頼すると、ステップＳ１１１に戻る。
【０１６８】
このようにウエアラブル端末のフローにおいては、技工士が許可する場合には、クラウン製作の作業中に動画を撮影し、また動画に関連する情報をサーバ２００のデータベース２３０に記録するようにしている（Ｓ１２５、Ｓ１２７参照）。また、技工士が他の技工士の作業を参照した場合に、許可されればデータベース２３０に記録された作業中の動画を参照することができる。このため、他の技工士の技能を学ぶことができ、技能の向上に役立てることができる。また、作業動画を提供した技工士には特典が付与される。
【０１６９】
次に、図１４に示すフローチャートを用いて、サーバ２００の動作について説明する。このフローチャートは、前述したように、ウエアラブル端末１００と協働する動作のみについて記載している。この図１４に示すフローは、サーバ２００内の制御部２１０のＣＰＵがメモリに記憶されたプログラムに従って、サーバ２００内の各部を制御することにより実行する。
【０１７０】
サーバのフローに入ると、まず、アクセス有りか否かを判定する（Ｓ１５１）。前述したように、技工士はクラウン製作を行う際に、ウエアラブル端末１００からサーバ２００にアクセスしてくる（図１３のＳ１１７参照）。そこで、このステップでは、ウエアラブル端末１００からのアクセスの有無について判定する。判定の結果、アクセスがない場合には、待機状態となる。
【０１７１】
ステップＳ１５３における判定の結果、アクセスがあった場合に、アクセスを許可するか否かを判定する（Ｓ１５３）。ここで、サーバ２００にアクセスすることが許可されている者であるあるか否を判定する。この判定の結果、許可されない場合には、待機状態となる。
【０１７２】
ステップＳ１５３における判定の結果、許可された場合には、次に、初期画面を送信する（Ｓ１５５）。ここでは、ウエアラブル端末１００に、クラウン加工関連のアイコン等を含む初期画面を送信する。
【０１７３】
続いて、技工士端末でガイド情報を要求しているか否かについて判定する（Ｓ１５７）。前述したように、技工士がガイド表示を要求している場合がある（図１３のＳ１１９、Ｓ１２１参照）。このステップでは、ウエラブル端末１００からこの要求がなされているか否かに基づいて判定する。
【０１７４】
ステップＳ１５７における判定の結果、ガイド情報の要求がなされている場合には、契約ＤＢに従い検索された情報を送信する（Ｓ１５９）。ここでは、契約ＤＢ２３２に記録されている契約に従い、許容されている範囲内で、データベース２３０内において要求された情報を検索する。情報が検索されると、ウエアラブル端末１００にその情報を送信する。ウエアラブル端末１００は情報を受信すると、表示部１５０に表示する（図１３のＳ１４１参照）。
【０１７５】
一方、ステップＳ１５７における判定の結果、ガイド情報の要求でない場合には、技工士端末画像を入力し、記録するか否かについて判定する（Ｓ１６１）。前述したように、技工士は作業中動画、または完成後のクラウンの画像をデータベース２３０に記録することを許容する場合がある（図１３のＳ１２５、Ｓ１２７、Ｓ１３３、Ｓ１３５、Ｓ１３７参照）。ここでは、これらの画像を入力し、記録するかについて、ウエアラブル端末１００からの信号に基づいて判定する。この判定の結果、画像入力して記録しない場合には、他のサービスを実行する。
【０１７６】
ステップＳ１６１における判定の結果、画像を入力して記録する場合には、製作ＤＢとして記録し、データベース化する（Ｓ１６３）。ここでは、入力した作業中の画像や、完成したクラウンの画像、クラウンに関する情報、および技工士に関する画像をデータベース２３０に記録する。
【０１７７】
続いて、特典付与、契約ＤＢに反映する（Ｓ１６５）。技工士の保持する技能は秘密情報であり、これを他人に開示することは好ましくないと一般的には考えられる。それにも関わらずデータベースの作成に協力してくれたことから、特典を付与し、また契約ＤＢ上でも優遇されるようにしている。
【０１７８】
ステップＳ１５９において情報を送信すると、またはステップＳ１６５において特典を付与し、契約ＤＢに反映すると、ステップＳ１５１に戻る。
【０１７９】
このように、ウエアラブル端末と協働するサーバのフローでは、技工士からガイド情報の表示の要求があれば、契約に従って、ガイド情報を送信している（Ｓ１５７、Ｓ１５９参照）。また、技工士から画像等の情報が送信されてくると、これをデータベース化している（Ｓ１６３参照）。このデータベースを作成しておくことにより、技工士が必要とするガイド情報を閲覧することができ、技能の向上に役立てることができる。
【０１８０】
次に、図１５に示すフローチャートを用いて、ステップＳ１３５の動画撮影記録の動作について説明する。このフローは、ウエアラブル端末１００内の制御部１１０のＣＰＵがメモリに記憶されたプログラムに従って、ウエアラブル端末１００内の各部を制御することにより実行する。
【０１８１】
動画撮影記録のフローに入ると、まず、音声指示等がなされたか否かについて判定する（Ｓ１７１）。動画を撮影し、動画の画像データを記録する場合には、ウエアラブル端末１００を装着した技工士は音声で動画の撮影開始を指示する。作業中は両手が塞がっていることが多いことから、音声で指示できると便利である。なお、ウエアラブル端末１００に操作部を設けておき、手動操作するようにしてもよい。
【０１８２】
ステップＳ１７１における判定の結果、音声指示等がない場合には、所定時間で電源をオフする（Ｓ１７３）。ウエアラブル端末１００の電源電池は小型であることから、電源浪費を防止するために、所定時間が経過すると電源をオフし、スリープモードに入る。
【０１８３】
ステップＳ１７１における判定の結果、音声指示等がなされると、カメラを起動する（Ｓ１７５）。ここでは、画像入力部１４０ａが起動され、撮像素子によって画像データを取得する。
【０１８４】
カメラを起動すると、次に、作業を確認する（Ｓ１７７）。ここでは、技工士がクラウン製作の作業を行っているか否かについて判定する。この判定は、画像入力部１４０ａによって取得した画像データに基づいて行う。このステップにおける判定の結果、作業を確認できない場合には、ステップＳ１７１に戻る。
【０１８５】
ステップＳ１７７において、作業を確認できた場合には、動画の記録を行う（Ｓ１７９）。ここでは、画像入力部１４０ａによって取得された画像データをウエアラブル端末１００内の記録部１３０に仮記録する。この動画記録は、後述するステップＳ１８７の記録中断まで続行する。仮記録された動画は、必要に応じてステップＳ１２７（図１３参照）においてサーバ２００に送信される。
【０１８６】
次に、特定部位の作業か否かについて判定する（Ｓ１８１）。ここでは、画像入力部１４０ａによって取得された画像データに基づいて、対象判定部１１１が作業部位について判定する。作業部位としては、クラウンの中央で作業しているか、クラウンの切端で作業しているか、それともクラウンの歯頸を作業しているかについて、クラウンと筆の位置の相対的位置関係から判断してもよい。また層Ａの作業中であるか、層Ｂの作業中であるか、層Ｃの作業中であるかについて判断するようにしてもよい。このステップでは、作業部位がいずれかの特定部位（複数工程の内のいずれか）であるかについて判定する。なお、作業部位の判定にあたっては、画像データ以外にも音声入力部１４３によって入力した音声データに基づいて、技工士等の発言等に基づいて判定してもよい。
【０１８７】
ステップＳ１８１における判定の結果、特定部位を作業していた場合には、部位情報を記録する（Ｓ１８３）。技工士がガイド情報を表示させる場合には、作業中の部位に対応した画像を表示することが望ましい。前述したように、対象判定部１１１が、いずれかの特定の部位を作業しているかについて判定しており、言い換えると複数工程の内のいずれかの工程であるかを判定している。そのため、このステップでは記録中の動画に部位情報を記録するようにしている。この部位情報は、撮影画像に関連付けて記録される。記録にあたって、部位情報等の工程を示す情報は、インデックス化、またはメタデータ化して記録するとよい。
【０１８８】
一方、ステップＳ１８１における判定の結果、特定部位を作業していない場合には、作業に進展がないか否かを判定する（Ｓ１８５）。ここでは、画像入力部１４０ａによって取得した動画の画像データに基づいて、作業に進展がないか否かを判定する。
【０１８９】
ステップＳ１８５における判定の結果、作業に進展がない場合には、記録を中断する（Ｓ１８７）。作業が中断していることから、ステップＳ１７９で開始した動画の記録を中断する。記録を中断すると、ステップＳ１７７に戻る。ステップＳ１７７で作業を行っていることが確認できれば、ステップＳ１７９において動画の記録を再開する。
【０１９０】
ステップＳ１８３において部位情報を記録すると、またはステップＳ１８５における判定の結果、作業に進展がある場合には、次に、終了か否かを判定する（Ｓ１８９）。動画撮影記録のフローを音声指示で開始している場合には、音声指示で終了する。また、これ以外の方法で動画撮影記録のフローを終了するようにしてもよい。このステップにおける判定の結果、終了でない場合には、ステップＳ１７７に戻る。
【０１９１】
ステップＳ１８９における判定の結果、終了の場合には、ヘッダ付きファイルを生成する（Ｓ１９１）。ここでは、ステップ１７９において記録した動画の画像データや、ステップＳ１８３において記録した部位情報からなるヘッダ付きのファイルを生成する。ヘッダ付きファイルを生成すると、ステップＳ１７１に戻る。
【０１９２】
このように、動画撮影記録フローでは、クラウン製作の作業中の動画を記録する際に、部位情報も併せて記録している（Ｓ１８３）。このため、技工士がガイド画像を表示させる際に、作業中の部位に応じた画像を参照することができる。
【０１９３】
次に、図１６に示すフローチャートを用いて、ステップＳ１４１（図１３参照）の条件に従って表示の動作について説明する。このフローは、ウエアラブル端末１００内の制御部１１０のＣＰＵがメモリに記憶されたプログラムに従って、ウエアラブル端末１００内の各部を制御することにより実行する。
【０１９４】
条件に従って表示のフローに入ると、まず、作業が静止しているか否かについて判定する（Ｓ２０１）。技工士がガイド表示を参照する場合には、通常、表示部１５０を凝視していることから、作業は静止状態となる。作業が静止しているか否かは、画像入力部１４０ａによって取得した画像データに基づいて判定する。この判定の結果、作業が静止していない場合には、待機状態となる。
【０１９５】
ステップＳ２０１における判定の結果、作業が静止していた場合には、製作物の位置に対して道具の位置が、取得中の画像と一致するコマが動画にあるか否かを判定する（Ｓ２０３）。ここでは、クラウンの位置に対して、筆等の道具の位置がいずれにあるか、例えば、筆の位置が中央、切端、歯頸のいずれにあるか等を判断する。そして、データベースに記録された作業中動画の中から、判定された位置と一致するコマ（例えば、図９（ｄ）参照）を検索する。この検索の結果、一致するコマが無い場合には、ステップＳ２０１に戻る。
【０１９６】
ステップＳ２０３における判定の結果、一致するコマがある場合には、作業起点コマ（類推）から動画を開始する（Ｓ２０７）。作業起点コマは、例えば、図１０のＴ＝Ｔ１０、Ｔ２０、Ｔ３０に相当する時刻であり、特定部位の作業を開始するよりも所定時間前、または作業道具が特定の位置関係にある時刻でのコマである。
【０１９７】
動画の再生を開始すると、次に、終了か否かを判定する（Ｓ２０７）。ここでは、動画の再生が終了したか否かに基づいて判定する。この判定の結果、終了していない場合には、ステップＳ２０１に戻り、再生を続行する。
【０１９８】
ステップＳ２０７における判定の結果、終了の場合には、このフローを終了し、元のフローに戻る。
【０１９９】
このように、条件に従って表示のフローにおいては、特定部位と一致する動画のコマがある場合には、このコマよりも前にある作業起点コマから、動画の再生を開始するようにしている。このため、いきなり特定部位から再生されるのでは、この特定部位に至る前の準備段階から画像を確認することができ、ガイド情報として重宝できる。
【０２００】
次に、図１７を用いて、歯科医４２０が情報端末３００を用いて、意図するクラウンの製作者を探しだすことについて説明する。
【０２０１】
図１７（ａ）は、歯科医４２０が情報端末３００の表示部３５０にクラウンを表示し、どのようなクラウンの色にするかを検討している様子を示す。表示部３５０の左側には、患者の歯を撮影した撮影画像が表示される。撮影画像の下側には、歯科医４２０が入力したクラウンの厚みおよび土台の色に関する情報が表示される。
【０２０２】
表示部３５０の右側には、サーバ２００にアクセスし、撮影画像を送信し（図１１のＳ６５参照）、データベース２３０に記録されている画像の中から検索された画像（図１２のＳ９１参照）、すなわち送信した撮影画像に近い画像、すなわち技工士によって製作されたクラウンの画像（実績登録画像）が表示される（図１１のＳ７１参照）。
【０２０３】
しかし、歯科医４２０（または患者）が実績登録画像では満足しない場合には、撮影画像をベースに、図９（ｂ）に示すようなシミュレーション画像を生成することができる。このシミュレーション画像をサーバ２００に送信すると（図１１のＳ６９参照）、サーバ２００は、シミュレーション画像に基づいて再度検索を行い（図１２のＳ９７参照）、この検索結果を送信してくる。この送信された画像が、図１７（ｂ）の表示部３５０の右側に実績登録画像として表示される。
【０２０４】
クラウンのように、審美性が高く、製作に高度の技能が要求される製品では、歯科医や患者の要求に応じたものを入手するのが困難である。しかし、本実施形態のように、実績登録画像に基づいて、検索することができ、しかも、修正した画像（シミュレーション画像）によって再検索することができることから、意図に沿った製品を入手することができる。
【０２０５】
以上、説明したように、第２実施形態においても、第１実施形態と同様、一連の作業を時間的に分割して複数の工程として撮影して記録する撮影システムを提供することができる。この撮影システムは、撮影画像に基づいて工程を検出する工程検出部（例えば、図５の対象判定部１１１参照）を有するようにしているので、撮影と同時に工程検出結果に基づいて、一連の作業を分割することが可能となり、上記撮影画像と上記工程を関連付けて動画撮影画像を記録することができる。このため、この撮影システムでは、作業終了後に見たい部分の動画だけを検索し、また再確認することが簡単にでき、技能伝承に役立つ。なお、撮影システム中の記録制御部が、連続して撮影した動画の一部を作業ごとに検索しやすいように各動画に作業別のタイトルを付けたり、作業別のメタデータを付けたファイル形式で記録できるようにしてもよい。
【０２０６】
以上説明したように、本発明の各実施形態においては、製作物（例えば、クラウン）を製作するための複数の工程を撮影して記録することができる。すなわち、撮影画像に基づいて製作物の部位に応じた部位別工程を検出し（例えば、図１５のＳ１８１参照）、撮影画像と部位別工程を関連付けて撮影画像を記録している（例えば、図１５のＳ１８３参照）。製作物の部位に応じて撮影画像を検索することが容易となることから、クラウン等の製作物の加工箇所・進捗状況等に応じて、適切な指導を行うことができる。
【０２０７】
また、本発明の各実施形態においては、製作物を製作するための複数の工程を撮影し（例えば、図１３のＳ１３５、図１５のＳ１７９参照）、撮影画像に基づいて製作物の部位に応じた部位別工程を検出し（例えば、図１５のＳ１８１参照）、撮影画像と部位別工程を関連付け（例えば、図１５のＳ１８３）、関連付けがなされた撮影画像を外部装置に送信し（例えば、図１３のＳ１２７参照）、外部装置で検索された撮影画像を受信している（例えば、図１３のＳ１２１参照）。この受信した撮影画像に基づいてガイド表示を行う（例えば、図１３のＳ１４１）。
【０２０８】
このため、本発明の各実施形態においては、製作物の部位に応じたガイド表示を行うことができ、クラウン等の製作物の加工箇所・進捗状況等に応じて、適切な指導を行うことができる。一般に複雑で高度な技能を必要とする作業は、各工程に分解した形でエビデンスを残すことが望ましい。本発明の各実施形態では、ウエアラブル端末によって、作業者の目の位置に近い画像を利用し、作業者の目視チェックの様子や、作業者目線に近い視界で手先、指先の動きを観察するので、判定が精密に出来る。もちろん、必要に応じて、外部カメラの情報を利用してもよい。工程ごとの切り分けを、それぞれの工程において行われるセッティング、指の動き、道具の持ち方などを利用して判定しているので、作業者に負担をかけることがない。複数の工程を撮影して記録する場合、撮影画像やその作業特有の音声やその他の情報に基づいて工程を検出する工程検出部を設け、この工程検出部での検出結果をインデックス化、メタデータ化しておき、上記撮影画像と上記工程を関連付けて記録することが出来る。また、検索しやすく、確認もしやすい形式（例えば、メタデータ付きの画像ファイルなど）にしておけば、様々な状況（レポート化や、ガイドとしての利用）で、作業者目線で、その肝心の部分だけを検索したり、確認したりすることが出来る画像情報が提供できる。
【０２０９】
また、本発明の各実施形態におけるシステムは、複数の技工士の工程（画像）情報と技工士製作物画像を管理したデータベース２３０と、情報端末３００から製作物の目標画像を取得する目標物画像取得部（検索部２１１）と、目標画像から、製作物画像を検索する検索部２１１と、さらに工程画像を取得するガイド部２１３とを有している。製作物画像の少なくとも２箇所の代表色情報と、当該２箇所の代表色情報の遷移情報とから、目標対象画像と、複数の技工士による模造物の出来映え画像とを比較して、技工士を選択することができる。すなわち、技工士の画像を収集する画像管理サーバを設け、歯科医がクラウン製作のために、歯の写真を送ると、クラウン製作に最適な技工士を検索することができる。評価の高い技工士に、加工技術を示す画像でサーバにアップして貰い、その画像によってガイド表示する。
【０２１０】
なお、本発明の各実施形態においては、製作物として歯冠補綴物であるクラウンについて説明した。しかし、製作物としてはクラウンに限らず、審美性や高度の技能が要求される一品製作の物であれば適用することができる。本発明の各実施形態では、説明が容易な例として歯科技工士の作業（比較的製作物をイメージしやすく、道具や材料などが駆使される）で説明したが、これに限らず、特定の道具や材料、あるいはその基材を使いこなして作業を行う作業過程を観察、記録するための機器、装置、方法に対して広く応用が可能である。歯科技工士に限らず、美容関係から工事関係、さらには様々な検査や研究や医療分野まで、専門性の高い作業を経て得られる成果物、さらには修理、治療などの結果としての状況を得るには、審美的な面までをカバーした高度な技能が要求される。また、極めて高い属人性を持つ業務であるがゆえに、本発明の各実施形態のように、作業の進捗等に応じて、作業ごとの適切な作業、テクニックを可視化することが望ましい。つまり、技能伝承という意味でも、作業品質の確認用としても、作業の過程が把握可能な適切な観察、記録の技術が求められていた。つまり、作業を明確に可視化し、検索しやすくしておけば、その工程の再確認、エビデンスを残しやすくでき、技の伝承用のアーカイブにもできる。
【０２１１】
また、本発明の各実施形態においては、技工士が使用するウエアラブル端末１００と歯科医が使用する情報端末３００をネットで結んでいた。しかし、複数の技工士がイントラネット等のネットで結び、ガイド表示のみを行うようにしてもよい。また、複数の歯科医がネットで結び、サーバに完成したクラウンの画像と、関連情報を記録しておき、技工士の検索のみを行うようにしてもよい。
【０２１２】
また、本発明の各実施形態において、データベース２３０に記録する事項を種々記載したが、これらの記載以外にも、例えば、途中工程情報（例えば、３回なのか６回なのか）、材料情報、納期情報、価格情報等、さらに情報を追加し、取捨選択しても勿論かまわない。
【０２１３】
また、本発明の実施形態においては、ウエアラブル端末１００の制御部１１０内の対象判定部１１１、作業判定部１１２、表示制御部１１３、またサーバ２００の制御部２１０内の検索部２１１、表示制御部２１２、ガイド部２１３、情報統制部２１３ａ、また情報端末３００の制御部３１０内の操作判定部３１１、表示制御部３１２を、ＣＰＵとプログラムによって実現されるとしたが、これらの制御部とは別体で構成し、ハードウエア的またはソフトウエア的に実現するようにしてもよい。また、これらを、ヴェリログ（Verilog）によって記述されたプログラム言語に基づいて生成されたゲート回路等のハードウエア構成でもよく、またＤＳＰ（Digital Signal Processor）等のソフトを利用したハードウエア構成を利用してもよい。これらは適宜組み合わせてもよいことは勿論である。
【０２１４】
また、本明細書において説明した技術のうち、主にフローチャートで説明した制御に関しては、プログラムで設定可能であることが多く、記録媒体や記録部に収められる場合もある。この記録媒体、記録部への記録の仕方は、製品出荷時に記録してもよく、配布された記録媒体を利用してもよく、インターネットを介してダウンロードしたものでもよい。
【０２１５】
また、本発明の各実施形態においては、フローチャートを用いて、本実施形態における動作を説明したが、処理手順は、順番を変えてもよく、また、いずれかのステップを省略してもよく、ステップを追加してもよく、さらに各ステップ内における具体的な処理内容を変更してもよい。
【０２１６】
また、特許請求の範囲、明細書、および図面中の動作フローに関して、便宜上「まず」、「次に」等の順番を表現する言葉を用いて説明したとしても、特に説明していない箇所では、この順で実施することが必須であることを意味するものではない。
【０２１７】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０２１８】
１０ａ・・・ウエアラブル端末、１０ｂ・・・ウエアラブル端末、１１・・・技工所情報端末、１２ａ・・・ウエアラブル端末、１２ｂ・・・ウエアラブル端末、１３・・・技工所情報端末、１４・・・サーバ、１４ａ・・・データベース、１５・・・歯科医情報端末、１６・・・歯科医情報端末、１７・・・ネットワーク、１００・・・ウエアラブル端末、１１０・・・制御部、１１１・・・対象判定部、１１２・・・作業判定部、１１３・・・表示制御部、１２０・・・通信部、１３０・・・記録部、１３１・・・道具ＤＢ、１３２・・・作業ＤＢ、１４０・・・情報取得部、１４０ａ・・・画像入力部、１４１・・・対物レンズ、１４２・・・回路収納部、１４３・・・音声入力部、１５０・・・表示部、１５１・・・表示パネル、１５２・・・導光部、１６０・・・音声・振動出力部、１７０・・・つる（テンプル）、２００・・・サーバ、２１０・・・制御部、２１１・・・検索部、２１２・・・表示制御部、２１３・・・ガイド部、２１３ａ・・・情報統制部、２２０・・・通信部、２３０・・・データベース、２３１・・・製作部形状ＤＢ、２３２・・・契約ＤＢ、２３３・・・製作ＤＢ、３００・・・情報端末、３１０・・・制御部、３１１・・・操作判定部、３１２・・・表示制御部、３２０・・・通信部、３３０・・・記録部、３３１・・・患者ＤＢ、３３２・・・技工士ＤＢ、３４０・・・操作部、３５０・・・表示部、３６０・・・情報入力部、４２０・・・歯科医、４３０・・・技工士、４４０・・・技工士、４５０・・・技工士、４５１・・・目、５００・・・クラウン、５０１・・・筆、５０２・・・パレット、５０３・・・絵具、５０４・・・把持具
【図１】
2019032593.tif 000003
【図２】
2019032593.tif 000004
【図３】
2019032593.tif 000005
【図４】
2019032593.tif 000006
【図５】
2019032593.tif 000007
【図６】
2019032593.tif 000008
【図７】
2019032593.tif 000009
【図８】
2019032593.tif 000010
【図９】
2019032593.tif 000011
【図１０】
2019032593.tif 000012
【図１１】
2019032593.tif 000013
【図１２】
2019032593.tif 000014
【図１３】
2019032593.tif 000015
【図１４】
2019032593.tif 000016
【図１５】
2019032593.tif 000017
【図１６】
2019032593.tif 000018
【図１７】
2019032593.tif 000019